(57)【要約】【課題】冷却対象の装置が置かれた部屋を冷却する際の省エネルギー性を高める。【解決手段】空気調和制御システム１は、外気に対してミスト(霧化水)を供給する噴霧器１１ｒと、制御に基づいて、前記ミストを供給した後の空気を冷却対象設備の装置１８が置かれるデータセンター１６に流入させる流入量を調整する流量調整部１２と、前記外気の温度と湿度と、前記部屋に応じて定めた判定閾値とに基づいて前記部屋への前記空気の流入を制御する制御部とを備えることを特徴とする。【選択図】図１
2015055467.tif 000002
【特許請求の範囲】
【請求項１】
外気に対してミスト(霧化水)を供給する噴霧器と、
制御に基づいて、前記ミストを供給した後の空気を冷却対象設備が置かれる部屋に流入させる流入量を調整する流量調整部と、
前記外気の温度と湿度と、前記部屋に応じて定めた判定閾値とに基づいて前記部屋への前記空気の流入を制御する制御部と
を備えることを特徴とする空気調和制御システム。
【請求項２】
前記制御部は、
前記外気の温度と湿度と前記部屋に応じて定めた判定閾値とに基づいて、前記噴霧器からの前記ミストの供給を制御する
ことを特徴とする請求項１に記載の空気調和制御システム。
【請求項３】
前記制御部は、
前記部屋の内部環境の条件に応じた上限温度が前記判定閾値の１つとして定められており、前記上限温度より当該外気の温度が高いか否かを判定し、当該判定の結果が前記上限温度より当該外気の温度が高い場合、前記部屋に流入させる外気に対して前記ミストを前記噴霧器から供給させて、前記部屋への前記空気の流入を制御する
ことを特徴とする請求項１又は２に記載の空気調和制御システム。
【請求項４】
前記制御部は、
前記上限温度より高い温度であって、前記上限温度と前記ミストの供給によって外気を冷却可能な温度とに基づいて定められた第2上限温度が前記判定閾値の１つとして定められており、当該外気の温度が前記上限温度より高くかつ前記外気の温度が前記第2上限温度より低いか否かを判定し、前記外気の温度が前記上限温度より高くかつ前記外気の温度が前記第2上限温度より低い場合、前記部屋に流入させる外気に対して前記ミストを前記噴霧器から供給させて、前記ミストを供給する前の外気の温度から温度を調整して当該部屋に流入させるように制御する
ことを特徴とする請求項３に記載の空気調和制御システム。
【請求項５】
前記制御部は、
前記上限温度より当該外気の温度が低い場合、前記部屋に流入させる外気に対して前記ミストを前記噴霧器から供給させずに前記部屋への前記外気の流入を制御する
ことを特徴とする請求項３に記載の空気調和制御システム。
【請求項６】
前記制御部は、
前記部屋の内部環境の条件に応じた下限温度が前記判定閾値の１つとして定められており、前記下限温度より当該外気の温度が低いか否かを判定し、前記下限温度より当該外気の温度が低い場合、前記部屋に流入させる外気に対して前記ミストを前記噴霧器から供給させずに前記流入させる外気の量を調整して当該部屋に流入させるように制御する
ことを特徴とする請求項２から５の何れか１項に記載の空気調和制御システム。
【請求項７】
前記部屋には、
前記冷却対象設備の排気側の領域にあたるホットアイルと、前記ホットアイルの領域と異なる領域であって、前記冷却対象設備の吸気側の領域にあたるコールドアイルとがあり、
前記ホットアイルと前記コールドアイルとの間には、
前記ホットアイルと前記コールドアイルとの間の空気の流れを遮断する遮蔽部材が設けられており、
前記流量調整部は、
制御に基づいて、前記ミストを供給した後の空気を前記コールドアイルに流入させる流入量を調整する
ことを特徴とする請求項３から６の何れか１項に記載の空気調和制御システム。
【請求項８】
前記制御部は、
前記部屋の内部環境の条件に応じた湿度の下限値が前記判定閾値の１つとして定められており、前記湿度の下限値より当該外気の湿度が低いか否かを判定し、前記湿度の下限値より当該外気の湿度が低い場合、前記部屋への外気の流入を遮断するように制御する
ことを特徴とする請求項２から７の何れか１項に記載の空気調和制御システム。
【請求項９】
前記制御部は、
前記上限温度より当該外気の温度が高いか否かの判定結果が前記上限温度より当該外気の温度が高く、かつ、前記部屋の内部環境の条件に応じた湿度の下限値より当該外気の湿度が低いか否かの判定結果が、前記湿度の下限値より当該外気の湿度が低い場合、前記部屋に流入させる外気に対して前記ミストを前記噴霧器から供給せずに、前記部屋への外気の流入を遮断するように制御する
ことを特徴とする請求項３に記載の空気調和制御システム。
【請求項１０】
前記制御部は、
前記部屋の内部環境の条件に応じた露点温度が前記判定閾値の１つとして定められ、前記定められた露点温度より当該外気の露点温度が高いか否かを判定し、前記定められた露点温度より当該外気の露点温度が高い場合、前記部屋への外気の流入を遮断するように制御する
ことを特徴とする請求項２から９の何れか１項に記載の空気調和制御システム。
【請求項１１】
前記部屋の空気を調和する空気調和装置を有し、
前記噴霧器からミスト(霧化水)が前記空気調和装置の屋外機に対して供給可能なように、前記空気調和装置の屋外機と前記噴霧器とが設置されており、
前記制御部は、
前記噴霧器を制御することにより、前記空気調和装置の屋外機に対して前記噴霧器からのミスト(霧化水)を供給可能である、
ことを特徴とする請求項２から１０の何れか１項に記載の空気調和制御システム。
【請求項１２】
前記制御部は、
前記部屋の内部環境の条件に応じた上限温度より高い温度であって、前記ミストの供給によって外気を冷却した際に所定の冷却効果が得られる温度範囲を示す第2上限温度が前記判定閾値として定められ、当該外気の温度が前記第2上限温度より高いか否かを判定して、前記外気の温度が前記第2上限温度より高い場合、前記ミストを供給した外気の前記部屋への流入を遮断するか否かを前記ホットアイルの温度に応じて制御する
ことを特徴とする請求項７に記載の空気調和制御システム。
【請求項１３】
前記部屋に前記空気を流入させる方向の上流側に配置され、前記部屋から排出される暖気と、前記ミストが供給された後の空気とを混合可能とする混合部
を備え、
前記制御部は、
前記外気の温度と湿度と、前記部屋に応じて定めた判定閾値とに基づいて、前記暖気と、前記ミストを供給した後の空気とを前記流量調整部によって混合させて、前記混合部が混合した後の空気を冷却用空気として前記部屋に供給させる
ことを特徴とする請求項１から１２の何れか１項に記載の空気調和制御システム。
【請求項１４】
前記ミストを供給した後の空気を前記部屋に流入させる前に、前記ミストを供給した後の空気を濾過するフィルター部
を備えることを特徴とする請求項１から１３の何れか１項に記載の空気調和制御システム。
【請求項１５】
外気に対してミスト(霧化水)を供給する噴霧器と、
前記ミストを供給した後の空気を冷却対象設備が置かれる部屋に流入させる流入量を調整する流量調整部と、
前記空気の流入を制御する制御部と
を備えることを特徴とする空気調和制御システム。
【請求項１６】
外気に対して噴霧器がミスト(霧化水)を供給した後の空気を冷却対象設備が置かれる部屋に流入させる流入量を調整する流量調整部を制御して、前記外気の温度と湿度と、前記部屋に応じて定めた判定閾値とに基づいて前記部屋への前記空気の流入を制御する制御部
を備えることを特徴とする空気調和制御装置。
【請求項１７】
外気に対して噴霧器がミスト(霧化水)を供給した後の空気を冷却対象設備が置かれる部屋に流入させる流入量を流量調整部が調整する過程と
前記外気の温度と湿度と、前記部屋に応じて定めた判定閾値とに基づいて前記部屋への前記空気の流入を制御する過程と
を含むことを特徴とする空気調和制御方法。
【請求項１８】
空気調和制御システムが備えるコンピュータに、
外気に対して噴霧器がミスト(霧化水)を供給した後の空気を冷却対象設備が置かれる部屋に流入させる流入量を流量調整部が調整するステップと、
前記外気の温度と湿度と、前記部屋に応じて定めた判定閾値とに基づいて前記部屋への前記空気の流入を制御するステップと、
を実行させるためのプログラム。
【発明の詳細な説明】
【技術分野】
【０００１】
本発明は、空気調和制御システム、空気調和制御装置、空気調和制御方法及びプログラムに関する。
【背景技術】
【０００２】
サーバや通信装置などの装置が内部に配された収容架（ラック）が列（収容架列）を成し、収容架列が複数配されている機械室がある。このような機械室における空気調和システムは、それぞれの収容架の内部に配された装置を効率よく冷却するとともに、冷却対象の装置が置かれる部屋に冷気を供給するために係るエネルギーを省エネルギー化することが必要とされている。
【０００３】
関連する技術としてデータセンター等に適用される空調システムの技術がある(例えば、特許文献１参照)。特許文献１によれば、屋外機と室内機とに分かれて構成される空冷ヒートポンプ型の空調システムにおいて、噴化水を含んだ空気を屋外機に供給して、屋外機を冷却することが記載されている。
また、関連する技術として排熱式空調補助装置の技術がある(例えば、特許文献２参照)。特許文献２によれば、排熱式空調補助装置が、サーバの排気側に配置されたホットアイルと、サーバの吸気側に配置されたコールドアイルと、ホットアイルとコールドアイルとの間に配置された冷却機を備えるデータセンター等に適用されることが記載されている。その排熱式空調補助装置は、ホットアイルの空気を屋外に排出し、排出した空気と同量の外気をホットアイルに導入して、空気調和装置の冷却を補助することが記載されている。
また、関連する技術として塗装用空調装置の技術がある(例えば、特許文献３参照)。特許文献３によれば、塗装用空調装置が外気の温湿度を目標温湿度になるように調整して、調整後の外気を供給することが記載されている。
【先行技術文献】
【特許文献】
【０００４】
【特許文献１】特開２０１２−２３３６４１号公報
【特許文献２】特開２０１３−１０９６１２号公報
【特許文献３】特開２０１１−１２７８１２号公報
【発明の概要】
【発明が解決しようとする課題】
【０００５】
しかしながら、上記の各特許文献を参照しても、冷却対象の装置が置かれる部屋の温湿度を調整するにあたり、省エネルギー性を十分に高めることができる技術が開示されていない。
例えば、特許文献１に記載の技術によって、空調システムが噴化水を含んだ空気を屋外機に供給して、屋外機の冷却効果を高めることができるとしても、空調システムを冷却運転しているときにしかその効果を得ることができず、空調システムの冷却運転を停止させたときには何ら効果を得ることができない。
また、特許文献２に記載の技術によって、ホットアイルの空気を排出し、同量の外気をホットアイルに導入して、ホットアイルの温度を低減することで空気調和装置の冷却を補助することができるとしても、空気調和装置の冷却運転を停止させることができない。
また、特許文献３に記載の技術は、塗装を行う環境の温湿度を管理して所定の値に調整する塗装用空調装置の技術に過ぎず、省エネルギー性を高めて冷却対象の装置が置かれた部屋の環境を調整するものではない。
上記のように、開示されている技術を参照しても、省エネルギー性を十分に高めて、冷却対象の装置が置かれる部屋の温湿度を調整することができない。
【０００６】
本発明は、斯かる実情に鑑みてなされたものであり、冷却対象の装置が置かれた部屋を冷却する際の省エネルギー性を高めることができる空気調和制御システム、空気調和制御装置、空気調和制御方法及びプログラムを提供するものである。
【課題を解決するための手段】
【０００７】
（１）この発明は、上述した課題を解決するためになされたものであり、本発明の第１の態様の空気調和制御システムは、外気に対してミスト(霧化水)を供給する噴霧器と、制御に基づいて、前記ミストを供給した後の空気を冷却対象設備が置かれる部屋に流入させる流入量を調整する流量調整部と、前記外気の温度と湿度と、前記部屋に応じて定めた判定閾値とに基づいて前記部屋への前記空気の流入を制御する制御部とを備えることを特徴とする。
【０００８】
（２）また、上記発明において、前記制御部は、前記外気の温度と湿度と前記部屋に応じて定めた判定閾値とに基づいて、前記噴霧器からの前記ミストの供給を制御することを特徴とする。
【０００９】
（３）また、上記発明において、前記制御部は、前記部屋の内部環境の条件に応じた上限温度が前記判定閾値の１つとして定められており、前記上限温度より当該外気の温度が高いか否かを判定し、当該判定の結果が前記上限温度より当該外気の温度が高い場合、前記部屋に流入させる外気に対して前記ミストを前記噴霧器から供給させて、前記部屋への前記空気の流入を制御することを特徴とする。
【００１０】
（４）また、上記発明において、前記制御部は、前記上限温度より高い温度であって、前記上限温度と前記ミストの供給によって外気を冷却可能な温度とに基づいて定められた第2上限温度が前記判定閾値の１つとして定められており、当該外気の温度が前記上限温度より高くかつ前記外気の温度が前記第2上限温度より低いか否かを判定し、前記外気の温度が前記上限温度より高くかつ前記外気の温度が前記第2上限温度より低い場合、前記部屋に流入させる外気に対して前記ミストを前記噴霧器から供給させて、前記ミストを供給する前の外気の温度から温度を調整して当該部屋に流入させるように制御する。
【００１１】
（５）また、上記発明において、前記制御部は、前記上限温度より当該外気の温度が低い場合、前記部屋に流入させる外気に対して前記ミストを前記噴霧器から供給させずに前記部屋への前記外気の流入を制御することを特徴とする。
【００１２】
（６）また、上記発明において、前記制御部は、前記部屋の内部環境の条件に応じた下限温度が前記判定閾値の１つとして定められており、前記下限温度より当該外気の温度が低いか否かを判定し、前記下限温度より当該外気の温度が低い場合、前記部屋に流入させる外気に対して前記ミストを前記噴霧器から供給させずに前記流入させる外気の量を調整して当該部屋に流入させるように制御することを特徴とする。
【００１３】
（７）また、上記発明において、前記部屋には、前記冷却対象設備の排気側の領域にあたるホットアイルと、前記ホットアイルの領域と異なる領域であって、前記冷却対象設備の吸気側の領域にあたるコールドアイルとがあり、前記ホットアイルと前記コールドアイルとの間には、前記ホットアイルと前記コールドアイルとの間の空気の流れを遮断する遮蔽部材が設けられており、前記流量調整部は、制御に基づいて、前記ミストを供給した後の空気を前記コールドアイルに流入させる流入量を調整することを特徴とする。
【００１４】
（８）また、上記発明において、前記制御部は、前記部屋の内部環境の条件に応じた湿度の下限値が前記判定閾値の１つとして定められており、前記湿度の下限値より当該外気の湿度が低いか否かを判定し、前記湿度の下限値より当該外気の湿度が低い場合、前記部屋への外気の流入を遮断するように制御することを特徴とする。
【００１５】
（９）また、上記発明において、前記制御部は、前記上限温度より当該外気の温度が高いか否かの判定結果が前記上限温度より当該外気の温度が高く、かつ、前記部屋の内部環境の条件に応じた湿度の下限値より当該外気の湿度が低いか否かの判定結果が、前記湿度の下限値より当該外気の湿度が低い場合、前記部屋に流入させる外気に対して前記ミストを前記噴霧器から供給せずに、前記部屋への外気の流入を遮断するように制御することを特徴とする。
【００１６】
（１０）また、上記発明において、前記制御部は、前記部屋の内部環境の条件に応じた露点温度が前記判定閾値の１つとして定められ、前記定められた露点温度より当該外気の露点温度が高いか否かを判定し、前記定められた露点温度より当該外気の露点温度が高い場合、前記部屋への外気の流入を遮断するように制御することを特徴とする。
【００１７】
（１１）また、上記発明において、前記部屋の空気を調和する空気調和装置を有し、前記噴霧器からミスト(霧化水)が前記空気調和装置の屋外機に対して供給可能なように、前記空気調和装置の屋外機と前記噴霧器とが設置されており、前記制御部は、前記噴霧器を制御することにより、前記空気調和装置の屋外機に対して前記噴霧器からのミスト(霧化水)を供給可能である、ことを特徴とする。
【００１８】
（１２）また、上記発明において、前記制御部は、前記部屋の内部環境の条件に応じた上限温度より高い温度であって、前記ミストの供給によって外気を冷却した際に所定の冷却効果が得られる温度範囲を示す第2上限温度が前記判定閾値として定められ、当該外気の温度が前記第2上限温度より高いか否かを判定して、前記外気の温度が前記第2上限温度より高い場合、前記ミストを供給した外気の前記部屋への流入を遮断するか否かを前記ホットアイルの温度に応じて制御することを特徴とする。
【００１９】
（１３）また、上記発明において、前記部屋に前記空気を流入させる方向の上流側に配置され、前記部屋から排出される暖気と、前記ミストが供給された後の空気とを混合可能とする混合部を備え、前記制御部は、前記外気の温度と湿度と、前記部屋に応じて定めた判定閾値とに基づいて、前記暖気と、前記ミストを供給した後の空気とを前記流量調整部によって混合させて、前記混合部が混合した後の空気を冷却用空気として前記部屋に供給させることを特徴とする。
【００２０】
（１４）また、上記発明において、前記ミストを供給した後の空気を前記部屋に流入させる前に、前記ミストを供給した後の空気を濾過するフィルター部を備えることを特徴とする。
【００２１】
（１５）また、本発明の第２の態様の空気調和制御システムは、上記発明において、外気に対してミスト(霧化水)を供給する噴霧器と、前記ミストを供給した後の空気を冷却対象設備が置かれる部屋に流入させる流入量を調整する流量調整部と、前記空気の流入を制御する制御部とを備えることを特徴とする。
【００２２】
（１６）また、本発明の第３の態様の空気調和制御装置は、上記発明において、外気に対して噴霧器がミスト(霧化水)を供給した後の空気を冷却対象設備が置かれる部屋に流入させる流入量を調整する流量調整部を制御して、前記外気の温度と湿度と、前記部屋に応じて定めた判定閾値とに基づいて前記部屋への前記空気の流入を制御する制御部を備えることを特徴とする空気調和制御装置。
【００２３】
（１７）また、本発明の第３の態様の空気調和制御方法は、外気に対して噴霧器がミスト(霧化水)を供給した後の空気を冷却対象設備が置かれる部屋に流入させる流入量を流量調整部が調整する過程と前記外気の温度と湿度と、前記部屋に応じて定めた判定閾値とに基づいて前記部屋への前記空気の流入を制御する過程とを含むことを特徴とする。
【００２４】
（１８）また、本発明の第３の態様のプログラムは、空気調和制御システムが備えるコンピュータに、外気に対して噴霧器がミスト(霧化水)を供給した後の空気を冷却対象設備が置かれる部屋に流入させる流入量を流量調整部が調整するステップと、前記外気の温度と湿度と、前記部屋に応じて定めた判定閾値とに基づいて前記部屋への前記空気の流入を制御するステップと、を実行させるためのものである。
【発明の効果】
【００２５】
本発明の空気調和制御システム、空気調和制御装置、空気調和制御方法及びプログラムによれば、冷却対象の装置が置かれた部屋を冷却する際の省エネルギー性を高めることができる。
【図面の簡単な説明】
【００２６】
【図１】本発明の第１実施形態に係る空気調和制御システムの概略構成図である。
【図２】本実施形態に係る空気調和制御システムのエアーフロー図である。
【図３】本実施形態の空気調和制御システムの概要を示す構成図である。
【図４】空気調和制御システムを機能させるための判定閾値の一例を示す説明図である。
【図５】図４で示した判定閾値を表に纏めた説明図である。
【図６】本実施形態における制御の概略手順を示すフローチャートである。
【図７】モード１の処理の手順を示すフローチャートである。
【図８】モード２の処理の手順を示すフローチャートである。
【図９】モード３の処理の手順を示すフローチャートである。
【図１０】モード４の処理の手順を示すフローチャートである。
【図１１】モード５Ａの処理の手順を示すフローチャートである。
【図１２】モード５Ｂの処理の手順を示すフローチャートである。
【図１３】モード１の空気の流れを示すエアーフロー図である。
【図１４】モード２の空気の流れを示すエアーフロー図である。
【図１５】モード３の空気の流れを示すエアーフロー図である。
【図１６】モード４の空気の流れを示すエアーフロー図である。
【図１７】モード５Ａの空気の流れを示すエアーフロー図である。
【図１８】モード５Ｂの空気の流れを示すエアーフロー図である。
【図１９】第２実施形態に係る空気調和制御システムの概略構成図である。
【図２０】本実施形態に係る空気調和制御システムのエアーフロー図である。
【図２１】第３実施形態に係る空気調和制御システムの概略構成図である。
【図２２】本実施形態に係る空気調和制御システムのエアーフロー図である。
【図２３】本実施形態の空気調和制御システムの概要を示す構成図である。
【図２４】変形例の空気調和制御システムを機能させるための判定閾値の一例を示す説明図である。
【発明を実施するための形態】
【００２７】
以下、本発明の実施の形態について添付図面を参照して説明する。
【００２８】
［第１実施形態］
図１から図１８を参照し、本発明の第１の実施形態に係る空気調和制御システムについて説明する。
【００２９】
（空気調和制御システム１の概略構成）
最初に図１と図２を参照し、本発明の第１の実施形態に係る空気調和制御システムの概略構成と空気の流れについて説明する。図１は、本発明の一実施形態に係る空気調和制御システムの概略構成図である。この図に示される空気調和制御システム１は、例えば、データセンターや通信局舎等の施設に適用される空気調和制御システムの例である。なお、図１では、空気調和制御システムが適用される施設の縦断断面図を模式化して示す。ここで、Z軸方向を鉛直方向とし、Ｘ軸方向を屋外から取り込んだ空気を流す方向とする。また、図２は、本実施形態に係る空気調和制御システムのエアーフロー図である。
空気調和制御システム１は、噴霧器１１rからミストを噴霧する蒸発冷却部１１ａにおいて、噴霧器１１rから外気に対してミスト(霧化水)を供給し、制御に基づいて、ミストを供給した後の空気を冷却対象設備が置かれる部屋に流入させる流入量を調整する。空気調和制御システム１は、外気の温度と湿度と、データセンター１６（部屋）に応じて定めた判定閾値とに基づいてデータセンター１６への空気の流入を制御する。これにより、空気調和制御システム１は、屋外（外部）の空気を取り込んで、装置１８が設けられるデータセンター１６に取り込んだ空気を供給して、データセンター１６内の温湿度環境を調整する。以下、データセンター１６における換気方式をいわゆる、第1種換気方式にした場合を例示する。
例えば、データセンター１６が設けられている施設は、蒸発冷却室１１、フィルター室１３、混気室１４、データセンター１６、および排気設備室１７に分かれて構成されている。
【００３０】
（第１の空気の流れに係る構成ついて）
空気調和制御システム１に係る第１の空気の流れがある。第１の空気の流れによって、この施設は、直接外気冷却が行えるように構成されている。この施設に屋外から取り込まれた空気は、蒸発冷却室１１、フィルター室１３、混気室１４、データセンター１６、排気設備室１７の順に送られて、再び屋外に排出され、データセンター１６に設けられた冷却対象の装置１８を冷却することができる。
【００３１】
例えば、蒸発冷却室１１には、屋外と施設内との間の空気の流れを遮断するように構成された壁が設けられており、その壁に屋外から空気を取り込むガラリ１１ｇが空気の取り込み口として設けられている。蒸発冷却室１１は、噴霧器１１ｒからミストを噴霧することにより、取り込んだ外気の温度を冷却可能な蒸発冷却部１１ａが形成されるように構成されている。
蒸発冷却室１１の下流側には、フィルター室１３が設けられており、蒸発冷却室１１とフィルター室１３との間は、空気の流れを遮断するように構成された壁で仕切られている。蒸発冷却室１１とフィルター室１３との間の壁には、蒸発冷却室１１からフィルター室１３に向けて流す空気の流量を調整する外気ダンパー１２ａ（流量調整部）が設けられている。
【００３２】
フィルター室１３の下流側には、混気室１４が設けられている。フィルター室１３と混気室１４とを分ける境界部に空気をろ過するフィルター部１３ｆが設けられている。このフィルター部１３ｆによって、フィルター室１３から混気室１４に向けて流れる空気が濾過される。
混気室１４の下流側には、データセンター１６が設けられている。混気室１４とデータセンター１６との間は空気の流れを遮断するように構成された壁で仕切られている。また、混気室１４側からデータセンター１６側に定風量で送風するＣＲＡＣ室内機１５Ｉ（流量調整部）が設けられている。また、ＣＲＡＣ室内機１５Ｉは、サーモ運転を行っている場合、フィルター室１３から供給される空気を冷却して、冷却した空気をデータセンター１６に供給する。
データセンター１６の下流側には、排気設備室１７が設けられている。データセンター１６と排気設備室１７との間は、空気の流れを遮断するように構成された壁で仕切られている。排気設備室１７には、データセンター１６に設けられた装置１８の排熱で温められた暖気を排出する排気ファン１２ｃ（流量調整部）が設けられている。また、排気設備室１７には、屋外と施設内との間の空気の流れを遮断するように構成された壁が設けられており、その壁に排気ファン１２ｃからの排気を屋外に放出するガラリ１７ｇが設けられている。
【００３３】
さらに、上記の混気室１４とデータセンター１６との間の壁に、データセンター１６内に設けられた装置１８の排熱で温められた暖気を混気室１４に還流させる空気の流量を調整するレターンダンパー１２ｂ（流量調整部）が設けられている。要するに、混気室１４では、条件に応じて、フィルター室１３から供給される冷気とデータセンター１６から供給される暖気とを混気して、データセンター１６に供給するのに適した温湿度に調整した空気にする。
例えば、ＣＲＡＣ室内機１５Ｉの本体に設けられた吸気口には吸気菅３１の一端が接続され、吸気菅３１の他端には混気室１４内の空気を吸気する吸気口が設けられている。吸気菅３１は、ＣＲＡＣ室内機１５Ｉから混気室１４まで延伸されており、吸気菅３１の吸気口が、混気室１４内で混気された後の空気を吸気できるような位置に配置されている。ＣＲＡＣ室内機１５Ｉは、混気室１４における混気によって温湿度が調整された空気をデータセンター１６に供給する。
【００３４】
また、データセンター１６には、底壁との間に間隔を空けて床板が配置されている。つまり、データセンター１６は、いわゆる２重床１６Ｆを備えている。２重床１６Ｆと底壁との間に床下領域１６Ａが設けられる。２重床１６Ｆの上には、冷却対象の複数の装置１８が設けられる。
２重床１６Ｆの上の領域には、装置１８の排気側の領域にあたるホットアイル１６Ｃと、ホットアイルの領域と異なる領域であって、装置１８の吸気側の領域にあたるコールドアイル１６Ｂとを含めて設けられている。
また、コールドアイル１６Ｂとホットアイル１６Ｃとの間には、コールドアイル１６Ｂとホットアイル１６Ｃの間の空気の流れを遮断する遮蔽部材１６Ｓが設けられている（例えば、特許３８３５６１５号公報参照）。
【００３５】
２重床１６Ｆの下側の床下領域１６Ａには、ＣＲＡＣ室内機１５Ｉから装置１８を冷却するための冷気が供給される。その冷気は、２重床１６Ｆに設けた開口部(不図示)から、２重床１６Ｆの上部に設けられるコールドアイル１６Ｂに供給される。コールドアイル１６Ｂに供給された冷気は、装置１８よって加熱されて暖気になり、その暖気がホットアイル１６Ｃに排出される。
【００３６】
（第２の空気の流れに係る構成ついて）
空気調和制御システム１に係る第２の空気の流れがある。第２の空気の流れによって、この施設は、ＣＲＡＣ屋外機１５Ｏが冷却されるように構成されている。例えば、蒸発冷却室１１は、噴霧器１１ｍからミストを噴霧することにより、取り込んだ外気の温度を冷却可能な蒸発冷却部１１ｂが形成されるように構成されている。この施設に屋外から取り込まれた空気は、蒸発冷却室１１に取り込まれて、蒸発冷却部１１ｂを介して、ＣＲＡＣ屋外機１５Ｏに供給され、その後再び屋外に放出される。
例えば、ＣＲＡＣ屋外機１５Ｏは、蒸発冷却室１１の床上に設けられている。一方、ＣＲＡＣ室内機１５Ｉは、データセンター１６内に設けられており、ＣＲＡＣ屋外機１５Ｏと対になってＣＲＡＣ１５を構成する。ＣＲＡＣ屋外機１５ＯとＣＲＡＣ室内機１５Ｉは、不図示の冷媒を循環させるパイプで接続されている。その冷媒を循環させることによりＣＲＡＣ室内機１５ＩとＣＲＡＣ屋外機１５Ｏとの間で熱を移動させる。ＣＲＡＣ屋外機１５Ｏは、屋外（外部）からガラリ１１ｇを介して供給される空気によって自装置を冷却する。ＣＲＡＣ屋外機１５Ｏを冷却することによって生成された暖気は、ガラリ１１ｇを介して屋外（外部）に排出される。
【００３７】
このような空気調和制御システム１は、上記のように構成されたデータセンター１６における空気の温度を制御する。
【００３８】
図３を参照して、本実施形態の空気調和制御システムの概要について説明する。同図は、本実施形態の空気調和制御システムの概要を示す構成図である。この図に示す空気調和制御システム１は、空気調和装置（ＣＲＡＣ）１５、噴霧器１１ｒ、１１ｍ、外気ダンパー１２ａ、フィルター部１３ｆ、混気室１４、レターンダンパー１２ｂ、排気ファン１２ｃ、検出部２１、２２、２３、２４、２５、制御部１００を備える。
【００３９】
空気調和装置（ＣＲＡＣ）１５は、ＣＲＡＣ屋外機１５ＯとＣＲＡＣ室内機１５Ｉとを含んで構成されるヒートポンプ型パッケージ空気調和装置である。ＣＲＡＣ１５は、サーモ運転状態にした場合、ＣＲＡＣ室内機１５Ｉにおいて交換した熱をＣＲＡＣ屋外機１５Ｏから放出する。
【００４０】
噴霧器１１ｒと１１ｍは、制御に応じて、ガラリ１１ｇを介して外部から供給される空気に対してミスト（噴化水）を供給し、ミストが気化することによってミストを噴霧した後の空気の温度を低下させる。例えば、噴霧器１１ｒと１１ｍは、それぞれ複数設けられている。噴霧器１１ｒは、ガラリ１１ｇから外気ダンパー１２ａまでの間の空気の流路に設けられ、外気ダンパー１２ａに供給する空気にミストを供給可能なように配置されている。噴霧器１１ｒがミストを噴霧した場合には、外気ダンパー１２ａを介してフィルター室１３にミストを噴霧後の空気が供給されるようになり、外気の温度より温度が低い空気を供給できるようになる。
また、例えば、噴霧器１１ｍは、ガラリ１１ｇからＣＲＡＣ屋外機１５Ｏまでの間の空気の流路にミストを供給可能なように設けられ、ＣＲＡＣ屋外機１５Ｏに供給する空気にミストを供給可能なように設けられている。噴霧器１１ｍがミストを噴霧した場合には、ＣＲＡＣ屋外機１５Ｏに供給される空気は、ミストを噴霧後の空気であって、外気の温度より温度が低い空気になる。
なお、外気ダンパー１２ａを介してフィルター室１３にミストを供給するための噴霧器１１ｒと、ＣＲＡＣ屋外機１５Ｏにミストを供給するための噴霧器１１ｍとを兼用してもよい。また、噴霧器１１ｒと１１ｍを兼用して１つ設けるようにしてもよい。
【００４１】
外気ダンパー１２ａは、制御により、蒸発冷却室１１からフィルター室１３に流入する空気の量を調整する。外気ダンパー１２ａの開度は、全開、全閉の他、制御に応じた任意の開度に調整することができる。
【００４２】
フィルター部１３ｆは、フィルター室１３に流入する空気をろ過して、混気室１４に供給する。フィルター部１３ｆは、ミスト噴霧後の空気に雨滴が含まれるような場合にあっても、その雨滴が混気室１４に入らないように、空気に含まれる不純物とともに除去するように構成する。
【００４３】
レターンダンパー１２ｂは、制御により、データセンター１６から混気室１４に流入する空気の量を調整する。レターンダンパー１２ｂの開度は、全開、全閉の他、制御に応じた任意の開度に調整することができる。
【００４４】
混気室１４は、フィルター室１３から供給される冷気とデータセンター１６から供給される暖気とを混合して、混合の空気を、フィルター室１３から供給される冷気の流量とデータセンター１６から供給される暖気の流量に応じた温湿度に調整した空気にする。
【００４５】
検出部２１は、屋外の空気（外気）の乾球温度（外気乾球温度ＤＢ０）を検出する。
検出部２２は、屋外の空気（外気）の湿球温度（外気湿球温度ＷＢ０）を検出する。
検出部２３は、ＣＲＡＣ１５の吸気温度（Ｔ１）を検出する。例えば、検出部２３は、ＣＲＡＣ室内機１５Ｉの本体に接続された吸気菅３１に設けられている。
検出部２４は、ホットアイル１６Ｃの乾球温度（ＤＢＨ）を検出する。
検出部２５は、蒸発冷却部１１ａにおける空気（外気）の乾球温度（外気乾球温度ＤＢＳ）を検出する。例えば、検出部２５は、噴霧器１１ｒから外気にミストを噴霧した後の空気の乾球温度を検出するように、蒸発冷却部１１ａから外気ダンパー１２ａまでの間に設けられている。噴霧器１１ｒから外気にミストを噴霧していない場合には、検出部２５が検出する温度は、屋外の空気（外気）の乾球温度に相当する。
【００４６】
なお、検出部１５Ｓは、ＣＲＡＣ１５の吹き出し温度（Ｔ２）を検出する。例えば、検出部１５Ｓは、ＣＲＡＣ室内機１５Ｉの本体の吹き出し口近傍に設けられており、その具体的な位置はＣＲＡＣ室内機１５Ｉの本体内部あってもよい。本実施形態においては、検出部１５Ｓは、ＣＲＡＣ室内機１５Ｉが備えるものとする。
【００４７】
制御部１００は、検出部２１から２４によって検出された結果に基づいて、ＣＲＡＣ１５、噴霧器１１ｒ、噴霧器１１ｍ、外気ダンパー１２ａ、レターンダンパー１２ｂ、排気ファン１２ｃを制御する。
例えば、制御部１００は、気温検出部１１０、流量制御部１２０、蒸発冷却制御部１３０、判定処理部１５０を備える。
【００４８】
（制御の判定閾値）
図４と図５を参照して、空気調和制御システムを機能させるための判定閾値について説明する。図４は、空気調和制御システムを機能させるための判定閾値の一例を示す説明図である。図５は、図４で示した判定閾値を表に纏めた説明図である。
まず、図４に示す空気線図を用いて、屋外の環境に応じて空気調和制御システムがデータセンター１６の温湿度を調整する制御の一例について以下説明する。
この図に示す空気線図において横軸が乾球温度（℃）を示し、縦軸が露点温度（℃）を示し、右肩上がりの線が相対湿度（％）を示す。
【００４９】
最初に、データセンター１６における内部環境の条件に基づいて、空気線図上の領域を複数に分割するための閾値を定める。データセンター１６における内部環境の条件とは、例えば、コールドアイル１６Ｂに供給する空気の温湿度条件とする。
空気調和制御システム１は、データセンター１６における内部環境の条件に応じて予め判定条件を定め、データセンター１６に応じて予め定めた判定条件と、ミストを噴霧する前の外気の温度と外気の湿度とに基づいて、そのデータセンター１６への空気の流入を制御する。さらに、空気調和制御システム１は、ミストを噴霧した後の外気の温度に応じて、そのデータセンター１６への空気の流入を制御する場合がある。
【００５０】
ここで、各閾値を次のように定める。
まず、データセンター１６内の環境条件に応じて予め定めた判定条件を領域Ｚ３として示す。例えば、データセンター１６内の環境条件をコールドアイル１６Ｂにおける環境条件にする。
この領域Ｚ３の乾球温度範囲の下限値と上限値をそれぞれ乾球温度ＤＢ１と乾球温度ＤＢ２と定める。この領域Ｚ３の露点温度範囲の上限値を露点温度ＤＰ２と定める。この領域Ｚ３の相対湿度範囲の下限値と上限値をそれぞれ相対湿度Ｈ１と相対湿度Ｈ２と定める。
上記のように定めた乾球温度ＤＢ１と乾球温度ＤＢ２、露点温度ＤＰ２、相対湿度Ｈ１と相対湿度Ｈ２は、本来領域Ｚ３の条件を定める閾値である。
さらに、乾球温度ＤＢ２より高い乾球温度として乾球温度ＤＢ３を定める。乾球温度ＤＢ３の詳細については、後述する。
ここで、本実施形態では、それぞれの閾値を用いて、それぞれの閾値を摘要する範囲を空気線図の全領域まで範囲を広げることにより、空気線図の領域を複数の領域に分割することができる。
【００５１】
例えば、空気線図の領域を、乾球温度を基準にして、乾球温度の３つの閾値に基づいて４つの範囲に分割する。第１の範囲は、乾球温度が乾球温度ＤＢ１以下の領域に対応する。その第１の範囲には、領域Ｚ２、Ｚ１２、Ｚ２２が含まれる。第２の範囲は、乾球温度が乾球温度ＤＢ１以上乾球温度ＤＢ２未満の領域に対応する。第２の範囲には、領域Ｚ３、Ｚ１３、Ｚ２３、Ｚ３１，Ｚ３３が含まれる。第３の範囲は、乾球温度が乾球温度ＤＢ２以上乾球温度ＤＢ３未満の領域に対応する。第３の範囲には、領域Ｚ４、Ｚ１４、Ｚ３４、Ｚ３６が含まれる。
第４の範囲は、乾球温度ＤＢ３以上の領域に対応する。第４の範囲には、領域Ｚ５、Ｚ１５、Ｚ３５、Ｚ３７が含まれる。
【００５２】
また、例えば、空気線図の領域を、相対湿度を基準にして、相対湿度の２つの閾値に基づいて３つの範囲に分割する。第１の範囲は、相対湿度が相対湿度Ｈ１以下の領域に対応する。その第１の範囲には、領域Ｚ１２から領域Ｚ１５が含まれる。第２の範囲は、相対湿度が相対湿度Ｈ１以上相対湿度Ｈ２未満の領域に対応する。第２の範囲には、領域Ｚ２から領域Ｚ５と、領域Ｚ３１，Ｚ３４，Ｚ３５が含まれる。第３の範囲は、相対湿度が相対湿度Ｈ２以上の領域に対応する。第３の範囲には、領域Ｚ２２、Ｚ２３と領域Ｚ３３、Ｚ３６、Ｚ３７が含まれる。
【００５３】
また、例えば、空気線図の領域を、露点温度を基準にして、露点湿度の１つの閾値に基づいて２つの範囲に分割する。第１の範囲は、露点湿度が露点温度ＤＰ２未満の領域に対応する。その第１の範囲には、領域Ｚ２からＺ５、Ｚ１２からＺ１５、Ｚ２２からＺ２３が含まれる。第２の範囲は、露点湿度が露点温度ＤＰ２以上の領域に対応する。第２の範囲には、領域Ｚ３１からＺ３７が含まれる。
【００５４】
ここで、上記の乾球温度ＤＢ３について説明する。乾球温度ＤＢ３は、データセンター１６に流入させる外気に対してミストを噴霧するか否かを定める判定閾値の１つである。乾球温度ＤＢ３は、例えば、データセンターに流入させる外気に対してミストを噴霧することによりＣＲＡＣ１５を冷房運転することなく、ミストを噴霧する前の外気乾球温度ＤＢ０を乾球温度ＤＢ２以下に下げてコールドアイル１６Ｂに吹き出すことを可能とする乾球温度の範囲に応じて定める。
このように、乾球温度ＤＢ２（上限温度）より高い温度であって、乾球温度ＤＢ２とミストの供給によって外気を冷却可能な温度とに基づいて定められた乾球温度ＤＢ３（第２上限温度）をさらに定めることにより、当該外気乾球温度ＤＢ０が乾球温度ＤＢ２より高くかつ外気乾球温度ＤＢ０が乾球温度ＤＢ３より低いか否かを判定することができる。これにより、外気乾球温度ＤＢ０が乾球温度ＤＢ２より高くかつ乾球温度ＤＢ０が乾球温度ＤＢ３より低い場合、データセンター１６に流入させる外気に対してミストを噴霧器１１ｒから供給させて、ミストを供給する前の外気乾球温度ＤＢ０から温度を調整してデータセンター１６に流入させるように制御することが可能になる。
【００５５】
上記の乾球温度ＤＢ２とＤＢ３とに基づいて判定を行うことにより、領域Ｚ１４、Ｚ４、Ｚ３４、Ｚ３６の場合に、噴霧器１１ｒからミストを噴霧して、ミストを噴霧した後の外気をデータセンター１６に流入させることも可能になる。
【００５６】
さらに、乾球温度と湿球温度と相対湿度とのうちの何れかの変数を複数組み合わせることによって、それぞれの領域を特定することができる。このように分割された１つの領域又は複数の領域ごとにそれぞれ対応する動作モードを設定する。
【００５７】
（制御処理の動作モードと判定閾値について）
本実施形態では、噴霧器１１ｒと１１ｍの動作状態と、データセンター１６の空気を調整する制御状態とを定める動作モードを定義して、６つの動作モードに分けた場合について以下説明する。
第１の動作モード（モード１）では、噴霧器１１ｒからミストを噴霧させずに、所定の条件に応じて噴霧器１１ｍからミストを噴霧させるとともに、データセンター１６内の空気を循環させて、ＣＲＡＣ１６にサーモ運転させる。
第２の動作モード（モード２）では、噴霧器１１ｒと噴霧器１１ｍとからミストを噴霧させずに、データセンター１６からの暖気と外気とを混気して、データセンター１６内の空気を循環させる。ただし、ＣＲＡＣ１６のサーモ運転を停止させる。
第３の動作モード（モード３）では、噴霧器１１ｒと噴霧器１１ｍとからミストを噴霧させずに、データセンター１６を直接外気冷却させる。ただし、ＣＲＡＣ１６のサーモ運転を停止させる。
第４の動作モード（モード４）では、噴霧器１１ｍからミストを噴霧させずに、噴霧器１１ｒからミストを噴霧させて、ミストを噴霧して冷却した空気によってデータセンター１６を直接外気冷却させる。ただし、ＣＲＡＣ１６のサーモ運転を停止させる。
第５の動作モード（モード５Ａ）では、噴霧器１１ｒからミストを噴霧させずに、噴霧器１１ｍからミストを噴霧して、データセンター１６内の空気を循環させるとともに、ＣＲＡＣ１６にサーモ運転させる。
第６の動作モード（モード５Ｂ）では、噴霧器１１ｍからミストを噴霧させずに、噴霧器１１ｒからミストを噴霧させて、ミストを噴霧して冷却した空気によってデータセンター１６を直接外気冷却するとともに、ＣＲＡＣ１６にサーモ運転させる。
【００５８】
ここで、図４に示す空気線図を用いて、上記の６つのモードの判定に用いる判定閾値の例について説明する。
【００５９】
モード１を摘要する領域を、領域Ｚ１２からＺ１５、領域Ｚ３１、領域Ｚ３３からＺ３７とする。例えば、モード１を判定する閾値を相対湿度Ｈ１と露点温度ＤＰ２とにする。ここで、外気相対湿度Ｈ０が相対湿度Ｈ１より低い領域、又は、外気露点温度ＤＰ０が露点温度ＤＰ２以上の領域を、モード１を摘要する領域とする。
【００６０】
モード２を摘要する領域を、領域Ｚ２、領域Ｚ２２、Ｚ２３とする。例えば、モード２を判定する閾値を乾球温度ＤＢ１と、相対湿度Ｈ１、Ｈ２とにする。ここで、外気乾球温度ＤＢ０が乾球温度ＤＢ１より低く、かつ、外気相対湿度Ｈ０が相対湿度Ｈ１より高い領域にある場合と、外気乾球温度ＤＢ０が乾球温度ＤＢ１以上で、かつ、外気相対湿度Ｈ０が相対湿度Ｈ２より高く、かつ、外気露点温度ＤＰ０が露点温度ＤＰ２以下の領域にある場合との何れかの場合に、モード２を摘要する領域とする。
【００６１】
モード３を摘要する領域を、領域Ｚ３とする。例えば、モード３を判定する閾値を乾球温度ＤＢ１、ＤＢ２と、相対湿度Ｈ１、Ｈ２と、露点温度ＤＰ２とにする。
ここで、外気乾球温度ＤＢ０が乾球温度ＤＢ１以上乾球温度ＤＢ２以下、かつ、外気相対湿度Ｈ０が相対湿度Ｈ１より高く、かつ、外気露点温度ＤＰ０が露点温度ＤＰ２以下の領域にある場合に、モード３を摘要する領域とする。
【００６２】
モード４を摘要する領域を、領域Ｚ４とする。例えば、モード４を判定する閾値を乾球温度ＤＢ２、ＤＢ３、相対湿度Ｈ１と、露点温度ＤＰ２とにする。
ここで、外気乾球温度ＤＢ０が乾球温度ＤＢ２を超え乾球温度ＤＢ３以下、かつ、外気相対湿度Ｈ０が相対湿度Ｈ１より高く、かつ、外気露点温度ＤＰ０が露点温度ＤＰ２以下の領域にある場合に、モード４を摘要する領域とする。
【００６３】
モード５Ａを摘要する領域を、領域Ｚ５とする。例えば、モード５を判定する閾値を乾球温度ＤＢ３、相対湿度Ｈ１と、露点温度ＤＰ２とにする。ここで、外気乾球温度ＤＢ０が乾球温度ＤＢ３を超え、かつ、外気相対湿度Ｈ０が相対湿度Ｈ１より高く、かつ、外気露点温度ＤＰ０が露点温度ＤＰ２以下の領域にある場合であって、さらに、外気乾球温度ＤＢＳがホットアイル乾球温度ＤＢＨ以下の場合に、モード５Ａを摘要する領域とする。
【００６４】
モード５Ｂを摘要する領域を、モード５Ａと同じ領域Ｚ５とする。モード５Ａと５Ｂとの何れのモードを選択するかについては、空気線図上の領域だけでは判定できず、乾球温度ＤＢ０とホットアイル乾球温度ＤＢＨとの関係に応じて選択する。ここで、外気乾球温度ＤＢ０が乾球温度ＤＢ３を超え、かつ、外気相対湿度Ｈ０が相対湿度Ｈ１より高く、かつ、外気露点温度ＤＰ０が露点温度ＤＰ２以下の領域にある場合であって、さらに、外気乾球温度ＤＢＳがホットアイル乾球温度ＤＢＨより高い場合に、モード５Ｂを摘要する領域とする。
【００６５】
（制御処理の概要）
図６を参照して、制御処理の概要について説明する。同図は、本実施形態における制御の概略手順を示すフローチャートである。この図に示される制御では、検出結果に応じてモード１からモード５までの複数のモードとして示される異なる処理が行われる。
まず、気温検出部１１０は、検出部２１によって外気乾球温度（ＤＢ０）を検出させ、検出部２２によって外気湿球温度（ＷＢ０）を検出させ、それぞれの検出結果を収集する（ステップＳ１）。
次に、判定処理部１５０は、気温検出部１１０が検出した外気乾球温度（ＤＢ０）と外気湿球温度（ＷＢ０）とに基づいて、外気温湿度計測値の各種変数を算出する。例えば、外気温湿度計測値の各種変数には、外気相対湿度（Ｈ０）、露点温度（ＤＰ０）などが含まれる（ステップＳ２）。
次に、判定処理部１５０は、外気温湿度計測値の各種変数に基づいて、制御の稼働条件を定めるモードについて判定する。この判定を行う判定条件は、例えば、前述の図４において説明した制御条件に従うものとする（ステップＳ３）。
【００６６】
ステップＳ３の判定により、制御の稼働条件がモード１と判定された場合、モード１の稼働条件設定に従って制御する(ステップＳ１０)。
また、ステップＳ３の判定により、制御の稼働条件がモード２と判定された場合、モード２の稼働条件設定に従って制御する(ステップＳ２０)。
また、ステップＳ３の判定により、制御の稼働条件がモード３と判定された場合、モード３の稼働条件設定に従って制御する(ステップＳ３０)。
また、ステップＳ３の判定により、制御の稼働条件がモード４と判定された場合、モード４の稼働条件設定に従って制御する(ステップＳ４０)。
【００６７】
また、ステップＳ３の判定により、制御の稼働条件がモード５と判定された場合、気温検出部１１０は、検出部２４によってホットアイル乾球温度（ＤＢＨ）を検出させ、検出部２５によって外気乾球温度（ＤＢＳ）を検出させて、その検出結果を収集する（ステップＳ４）。次に、判定処理部１５０は、ホットアイル乾球温度（ＤＢＨ）が外気乾球温度（ＤＢＳ）より高いか否かを判定する（ステップＳ５）。
【００６８】
次に、ステップＳ５の判定により、ホットアイル乾球温度（ＤＢＨ）が外気乾球温度（ＤＢＳ）より高いと判定された場合（ステップＳ５：Ｙｅｓ）、モード５Ａの稼働条件設定に従って制御する(ステップＳ５０)。この場合、ホットアイル乾球温度（ＤＢＨ）が外気乾球温度（ＤＢＳ）より高いため、比較的温度の低い外気を取り込むことにより効率よくデータセンター１６を冷却することが可能になる。
【００６９】
一方、ステップＳ５の判定により、ホットアイル乾球温度（ＤＢＨ）が外気乾球温度（ＤＢＳ）より高くないと判定された場合（ステップＳ５：Ｎｏ）、モード５Ｂの稼働条件設定に従って制御する(ステップＳ６０)。この場合、ホットアイル乾球温度（ＤＢＨ）が外気乾球温度（ＤＢＳ）以下のため、比較的温度の低いホットアイル１６Ｃの空気を循環させることにより、効率よくデータセンター１６を冷却することが可能になる。
以上、ステップＳ１０からステップＳ６０の処理を終えると、次のモード判定を行うタイミングでステップＳ１からの処理を繰り返し行う。
【００７０】
（各モードの処理の詳細について）
図７から図１８を参照して、各モードの処理と空気の流れについて説明する。図７から図１２は、各モードの処理の手順を示すフローチャートである。図１３から図１８は、各モードの空気の流れを示すエアーフロー図である。
【００７１】
(モード１の処理の詳細について)
図７と図１３を参照して、モード１における処理と空気の流れについて説明する。
モード１における処理では、まず、データセンター１６への外気の取り込みを遮断し、混気室１４を介してデータセンター１６内部の空気を循環させるように設定する。例えば、判定処理部１５０の判定結果に基づいて、流量制御部１２０は、外気ダンパー１２ａの開度を全閉にして、レターンダンパー１２ｂの開度を全開にして、排気ファン１２ｃを停止して、データセンター１６への外気の取り込みを遮断して、データセンター１６内部の空気を循環させるように設定する（ステップＳ１２）。
また、判定処理部１５０の判定結果に基づいて、流量制御部１２０は、ＣＲＡＣ１５に温度調整を実施させる。ＣＲＡＣ１５のサーモ運転は、例えば定風量・吹き出し温度一定制御にする（ステップＳ１４）。
次に、所定の判定条件に応じた判定処理部１５０の判定結果に基づいて、蒸発冷却制御部１３０は、噴霧器１１ｍからミストを噴霧させて、ＣＲＡＣ屋外機１５Ｏにミストを含んだ空気を供給する。上記の所定の判定条件は、例えば、噴霧器１１ｍからミストを噴霧させた場合の冷却効率を考慮して定めたものとする。具体的な方法は後述する。なお、蒸発冷却制御部１３０は、噴霧器１１ｒからのミストの噴霧を停止する（ステップＳ１６）。
次に、判定処理部１５０の判定結果に基づいて、判定処理部１５０は、ＣＲＡＣ１５を利用した冷房運転を行う（ステップＳ１８）。
【００７２】
(モード２の処理の詳細について)
図８と図１４を参照して、モード２における処理と空気の流れについて説明する。
モード２における処理では、まず、取り込み量を調整して外気を取り込んで、取り込んだ外気とデータセンター１６内部から混気室１４に排出される暖気とを混合して、混合した空気をデータセンター１６内に循環させるように設定する。例えば、判定処理部１５０の判定結果に基づいて、流量制御部１２０は、外気ダンパー１２ａの開度と、レターンダンパー１２ｂの開度と、排気ファン１２ｃの排気量を調整して、外部から取り込んだ外気とデータセンター１６内部から混気室１４に排出される暖気とを混合してデータセンター１６に混合した空気を循環させるように設定する。例えば、外気ダンパー１２ａとレターンダンパー１２ｂの開度を、混合量に応じた比例制御にする。また、排気ファン１２ｃの風量を可変風量制御（インバータ制御）にする。（ステップＳ２２）。
また、判定処理部１５０の判定結果に基づいて、流量制御部１２０は、ＣＲＡＣ１５に温度調整を実施させる（ステップＳ２４）。
また、判定処理部１５０の判定結果に基づいて、蒸発冷却制御部１３０は、噴霧器１１ｒと噴霧器１１ｍとからのミストの噴霧を停止させて、ミストを噴霧していない外気を供給できるようにする（ステップＳ２６）。
次に、判定処理部１５０の判定結果に基づいて、判定処理部１５０は、ＣＲＡＣ１５の温度調整とミストによる冷却を機能させずに、データセンター１６内部から排出される暖気と外気とを混合させた外気冷却運転を行う。（ステップＳ２８）。
【００７３】
(モード３の処理の詳細について)
図９と図１５を参照して、モード３における処理と空気の流れについて説明する。
モード３における処理では、まず、混気室１４を介してデータセンター１６内部の空気を循環させずに、データセンター１６への外気の取り込むように設定する。例えば、判定処理部１５０の判定結果に基づいて、流量制御部１２０は、外気ダンパー１２ａの開度を全開にして、レターンダンパー１２ｂの開度を全閉にして、排気ファン１２ｃを作動させて、混気室１４を介するデータセンター１６内部の空気の循環を遮断するとともに、データセンター１６に外気を取り込むように設定する（ステップＳ３２）。
また、判定処理部１５０の判定結果に基づいて、流量制御部１２０は、ＣＲＡＣ１５による温度調整を停止させる（ステップＳ３４）。
また、判定処理部１５０の判定結果に基づいて、蒸発冷却制御部１３０は、噴霧器１１ｒと噴霧器１１ｍとからのミストの噴霧を停止させて、データセンター１６にミストを噴霧していない外気を供給できるようにする（ステップＳ３６）。
次に、判定処理部１５０の判定結果に基づいて、判定処理部１５０は、ＣＲＡＣ１５の温度調整とミストによる冷却を機能させずに外気冷却運転を行う（ステップＳ３８）。
【００７４】
(モード４の処理の詳細について)
図１０と図１６を参照して、モード４における処理と空気の流れについて説明する。
モード４における処理では、まず、混気室１４を介してデータセンター１６内部の空気を循環させずに、データセンター１６への外気の取り込むように設定する。例えば、判定処理部１５０の判定結果に基づいて、流量制御部１２０は、外気ダンパー１２ａの開度を全開にして、レターンダンパー１２ｂの開度を全閉にして、排気ファン１２ｃを作動させて、混気室１４を介するデータセンター１６内部の空気の循環を遮断するとともに、データセンター１６に外気を取り込むように設定する（ステップＳ４２）。
また、判定処理部１５０の判定結果に基づいて、流量制御部１２０は、ＣＲＡＣ１５による温度調整を停止させる（ステップＳ４４）。
また、判定処理部１５０の判定結果に基づいて、蒸発冷却制御部１３０は、噴霧器１１１１ｒからミストを噴霧させて、データセンター１６にミストを噴霧した後の外気を供給できるようにする。なお、蒸発冷却制御部１３０は、噴霧器１１ｍからのミストの噴霧を停止させる（ステップＳ４６）。
次に、判定処理部１５０の判定結果に基づいて、判定処理部１５０は、ＣＲＡＣ１５の温度調整とミストによる冷却を機能させずに外気冷却運転を行う（ステップＳ４８）。
【００７５】
(モード５Ａの処理の詳細について)
図１１と図１７を参照して、モード５Ａにおける処理と空気の流れについて説明する。
モード５Ａにおける処理では、まず、混気室１４を介してデータセンター１６内部の空気を循環させずに、データセンター１６への外気の取り込むように設定する。例えば、判定処理部１５０の判定結果に基づいて、流量制御部１２０は、外気ダンパー１２ａの開度を全開にして、レターンダンパー１２ｂの開度を全閉にして、排気ファン１２ｃを作動させて、混気室１４を介するデータセンター１６内部の空気の循環を遮断するとともに、データセンター１６に外気を取り込むように設定する（ステップＳ５２）。
また、判定処理部１５０の判定結果に基づいて、流量制御部１２０は、ＣＲＡＣ１５による温度調整を実施させる（ステップＳ５４）。
また、判定処理部１５０の判定結果に基づいて、蒸発冷却制御部１３０は、噴霧器１１ｍからミストを噴霧させずに、噴霧器１１rからミストを噴霧させて、データセンター１６にミストを噴霧した後の外気を供給できるようにする。また、噴霧器１１rからミストを噴霧させたことにより、ＣＲＡＣ屋外機１５Ｏにミストを含んだ空気を供給できるようにする（ステップＳ５６）。
次に、判定処理部１５０の判定結果に基づいて、判定処理部１５０は、ＣＲＡＣ１５の温度調整とミストによる冷却を機能させずに外気冷却運転を行う（ステップＳ５８）。
【００７６】
(モード５Ｂの処理の詳細について)
図１２と図１８を参照して、モード５Ｂにおける処理と空気の流れについて説明する。
モード５Ｂにおける処理では、まず、データセンター１６への外気の取り込みを遮断し、混気室１４を介してデータセンター１６内部の空気を循環させるように設定する。例えば、判定処理部１５０の判定結果に基づいて、流量制御部１２０は、外気ダンパー１２ａの開度を全閉にして、レターンダンパー１２ｂの開度を全開にして、排気ファン１２ｃを停止して、データセンター１６への外気の取り込みを遮断して、データセンター１６内部の空気を循環させるように設定する（ステップＳ６２）。
また、判定処理部１５０の判定結果に基づいて、流量制御部１２０は、ＣＲＡＣ１５による温度調整を実施させる（ステップＳ６４）。
また、判定処理部１５０の判定結果に基づいて、蒸発冷却制御部１３０は、噴霧器１１ｒからミストを噴霧させずに、噴霧器１１ｍからミストを噴霧させて、データセンター１６にミストを噴霧した後の外気を供給できるようにする。また、噴霧器１１ｍからミストを噴霧させたことにより、ＣＲＡＣ屋外機１５Ｏにミストを含んだ空気を供給できるようにする（ステップＳ５６）。
次に、判定処理部１５０の判定結果に基づいて、判定処理部１５０は、ＣＲＡＣ１５の温度調整とミストによる冷却を機能させずに外気冷却運転を行う（ステップＳ５８）。
【００７７】
以上に示したように、本実施形態の空気調和制御システム１において、冷却対象の装置１８が置かれたデータセンター１６を冷却する際の省エネルギー性を高めることができる。
【００７８】
［第２実施形態］
【００７９】
（空気調和制御システム１Ａの概略構成）
図１９と図２０を参照し、本発明の第２の実施形態に係る空気調和制御システムの概略構成について説明する。図１９は、本発明の実施形態に係る空気調和制御システムの概略構成図である。この図に示される空気調和制御システム１Ａは、例えば、データセンターや通信局舎等の施設に適用される空気調和制御システムの例である。
また、図２０は、本実施形態に係る空気調和制御システムのエアーフロー図である。
【００８０】
空気調和制御システム１Ａは、噴霧器１１ｒから外気に対してミスト(霧化水)を供給し、制御に基づいて、ミストを供給した後の空気を冷却対象設備が置かれる部屋に流入させる流入量を調整する。空気調和制御システム１Ａは、外気の温度と湿度と、データセンター１６（部屋）に応じて定めた判定閾値とに基づいてデータセンター１６への空気の流入を制御する。これにより、空気調和制御システム１Ａは、屋外（外部）の空気を取り込んで、装置１８が設けられるデータセンター１６に取り込んだ空気を供給して、データセンター１６内の温湿度環境を調整する。このデータセンター１６における換気方式は、いわゆる、第２種換気方式である。
例えば、データセンター１６が設けられている施設は、蒸発冷却室１１、フィルター室１３、混気室１４、およびデータセンター１６に分かれて構成されている。本実施形態における施設には、前述の第１実施形態の施設と異なり排気設備室１７がない。以下の説明において、前述の第１実施形態の構成と同じ構成には同じ符号を附す。また、同じ構成については、その説明を省略する場合がある。
データセンター１６と屋外を隔離する壁にガラリ１６ｇが設けられており、データセンター１６の下流側は、直接外部になる。
前述のとおり、このデータセンター１６における換気方式が第２種換気方式であるため、前述のとおり排気ファン１２ｃがない。データセンター１６に供給する空気の送風は、ＣＲＡＣ室内機１５Ｉが備えるファンが行う。
【００８１】
空気調和制御システム１Ａは、第１実施形態の空気調和制御システム１に対して排気設備室１７がない。ただし、空気調和制御システム１Ａの制御では、空気調和制御システム１の制御のうち排気設備室１７の制御を行わないこと以外は、前述の第１実施形態に示す制御方法に基づいて制御することが可能である。
【００８２】
以上に示したように、本実施形態の空気調和制御システム１Ａにおいても、冷却対象の装置１８が置かれたデータセンター１６を冷却する際の省エネルギー性を高めることができる。
【００８３】
［第３実施形態］
【００８４】
（空気調和制御システム１Ｂの概略構成）
図２１から図２３を参照し、本発明の第３の実施形態に係る空気調和制御システムの概略構成について説明する。図２１は、本発明の実施形態に係る空気調和制御システムの概略構成図である。この図に示される空気調和制御システム１Ａは、例えば、データセンターや通信局舎等の施設に適用される空気調和制御システムの例である。
また、図２２は、本実施形態に係る空気調和制御システムのエアーフロー図である。図２３は、本実施形態の空気調和制御システムの概要を示す構成図である。
【００８５】
空気調和制御システム１Ｂは、噴霧器１１ｒから外気に対してミスト(霧化水)を供給し、制御に基づいて、ミストを供給した後の空気を冷却対象設備が置かれる部屋に流入させる流入量を調整する。空気調和制御システム１Ｂは、外気の温度と湿度と、データセンター１６（部屋）に応じて定めた判定閾値とに基づいてデータセンター１６への空気の流入を制御する。これにより、空気調和制御システム１Ｂは、屋外（外部）の空気を取り込んで、装置１８が設けられるデータセンター１６に取り込んだ空気を供給して、データセンター１６内の温湿度環境を調整する。このデータセンター１６における換気方式は、いわゆる、第３種換気方式である。
例えば、データセンター１６が設けられている施設は、蒸発冷却室１１、フィルター室１３、混気室１４、データセンター１６、および排気設備室１７に分かれて構成されている。本実施形態における施設には、前述の第１実施形態の施設及び第２実施形態の施設に設けられていたＣＲＡＣ１５と噴霧器１１ｍがない。蒸発冷却制御部１３０Ａは、前述の第１実施形態の蒸発冷却制御部１３０が実施する処理のうち噴霧器１１ｒのみを制御する処理を実施する。
【００８６】
また、混気室１４とデータセンター１６とを隔離する壁に、データセンター１６内に設けられた装置の排熱で温められた暖気を混気室１４に還流させる流量を調整するレターンダンパー１２ｂと、混気室１４において調整されて冷気を混気室１４からデータセンター１６に還流させるガラリ１２ｅとが設けられている。つまり、レターンダンパー１２ｂは、データセンター１６内のホットアイル１６Ｃと混気室１４とが連通するように、ホットアイル１６Ｃに面する壁に設けられる。一方、ガラリ１２ｅは、データセンター１６内のコールドアイル１６Ｂと混気室１４とが連通するように、コールドアイル１６Ｂに面する壁に設けられる。
【００８７】
第１実施形態に対してＣＲＡＣ１５がない本実施形態では、ＣＲＡＣ１５が送風することがない。また、空気調和制御システム１ＢがＣＲＡＣ１５に対するサーモ運転の制御を行わないこと以外は、前述の第１実施形態に示す空気調和制御システム１における制御方法を摘要可能である。
【００８８】
以上に示したように、本実施形態の空気調和制御システム１Ｂにおいても、冷却対象の装置１８が置かれたデータセンター１６を冷却する際の省エネルギー性を高めることができる。
【００８９】
以下、図２４を参照して、上記の実施形態における空気調和制御システム１、１Ａ、１Ｂからの各変形例について説明する。同図は、変形例の空気調和制御システムを機能させるための判定閾値の一例を示す説明図である。この図は、前述の図４に対し、領域Ｚ４とＺ５の境界、および、領域Ｚ１とＺ２の境界が、異なる。なお、本図においては、前述の図４において領域Ｚ３１からＺ３７で示したそれぞれの領域を纏めて、領域Ｚ３０として示す。
以下、上記の各境界に関係するそれぞれの変形例について順に説明する。
【００９０】
＜変形例１＞
ここで示す「変形例１」は、ミストを噴霧する場合の効率を改善することができる変形例である。図２４における領域Ｚ４，Ｚ５、Ｚ３０は、ミストを噴霧する場合がある領域である。
上記実施形態における空気調和制御システム１（又は１Ａ、１Ｂ）においては、噴霧器１１ｒや１１ｍからミストを噴霧しても相対湿度が比較的高い場合には、ミストを噴霧したことによる空気の冷却効果が、相対湿度が比較的低い場合に比べて低くなる。空気調和制御システム１（又は１Ａ、１Ｂ）は、このように空気の冷却効果が比較的低くなる領域を判定して、効果が比較的低くなる場合のミストの噴霧を停止することができる。例えば、空気調和制御システム１（又は１Ａ、１Ｂ）は、相対湿度Ｈ２などを判定閾値として外気相対湿度Ｈ０に応じて判定してもよい。
或いは、外気乾球温度ＤＢ０と外気湿球温度ＷＢ０の温度差に基づいて判定してもよい。この場合、外気乾球温度ＤＢ０と外気湿球温度ＷＢ０の温度差を判定する判定閾値を予め定めておいて、その判定閾値より温度差が小さくなる領域においては、噴霧器１１ｒや１１ｍからのミストの噴霧を停止させることにより、効率よくミストを噴霧させることができる。
【００９１】
＜変形例２＞
ここで示す「変形例２」は、ミストを噴霧して外気冷却する場合に、湿度を適正に保つための改善を実施することができる変形例である。図２４における領域Ｚ４と領域Ｚ５の境界の定め方に関係する。
上記実施形態における空気調和制御システム１（又は１Ａ、１Ｂ）においては、外気湿球温度の条件に応じて、モード４を摘要する領域Ｚ４とモード５を摘要する領域Ｚ５を図２４に示すように分けてもよい。これにより、第１実施形態における領域Ｚ４のうちから、領域Ｚ４における比較的湿度が高い領域を削減して、その削減した領域を領域Ｚ５の一部とすることにより、適切な水分量の空気を直接外気冷却の空気として取り込むことができる。
なお、本変形例では、外気湿球温度の条件に応じて、モード４を摘要する領域Ｚ４とモード５を摘要する領域Ｚ５を分ける方法を示したが、外気湿球温度の条件に代えて、エンタルピーの条件に応じて領域Ｚ４と領域Ｚ５とを分けるようにしてもよい。
なお、図４及び図２４は、空気線図上の領域を分割する境界の一例を示すものであり、データセンター１６の環境仕様に応じて空気線図上の領域の境界を変更してもよい。
【００９２】
＜変形例３＞
ここで示す「変形例３」は、外気乾球温度ＤＢ０が比較的低く、外気湿度Ｈ０も比較的低い領域に、モード２によって混気した後の空気の湿度を適正に保つための改善を実施することができる変形例である。図２４における領域Ｚ１と領域Ｚ１の境界の定め方に関係する。
上記実施形態における空気調和制御システム１（又は１Ａ、１Ｂ）において第１実施形態においてモード２で運転する領域とした領域Ｚ２内で、外気露点温度ＤＰ０が比較的低い場合に外気を取り込まないように、その領域をモード１を摘要する領域に変更する。これにより、第１実施形態において領域Ｚ２とした外気露点温度ＤＰ０が比較的低い領域の外気をモード２として混気することなく、混気後の空気の湿度を適当な湿度にすることができる。
【００９３】
上記の各変形例においても、空気調和制御システム１（又は１Ａ、１Ｂ）は、冷却対象の装置１８が置かれたデータセンター１６を冷却する際の省エネルギー性を高めることができる。
【００９４】
なお、上記実施形態における空気調和制御システム１（又は１Ａ、１Ｂ）は、空気線図上の領域に基づいた判定において、デッドバンド（不反応領域）を設けた閾値を設定したり、状態検出から動作モードを切り替えるまでの動作時間遅れを設定したりして、動作モードの切り替え制御を実施してもよい。例えば、１回の判定結果に基づいて動作モードを決定することに代えて、複数回連続して検出した結果に基づいて動作モードを決定してもよい。このように複数回連続して検出した結果に基づいて動作モードを決定して、異なる動作モードに遷移する頻度を下げることにより、動作モードを遷移する際に生じるエネルギー損失を低減することができる。さらに、空気線図上の領域の境界との位置関係に基づいて、同境界からの距離に応じて重みづけた判定に基づいて動作モードを決定してもよい。
【００９５】
以上、本発明の実施形態について説明したが、上記実施形態において、空気調和制御システム１（又は１Ａ、１Ｂ）内の各処理部の機能は専用のハードウェアにより実現されるものであってもよく、また、各処理部の機能を実現するためのプログラムをコンピュータ読み取り可能な記録媒体に記録して、この記録媒体に記録されたプログラムをコンピュータシステムに読み込ませ、実行することによりその機能を実現させるものであってもよい。
すなわち、空気調和制御システム１（又は１Ａ、１Ｂ）は内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳや周辺機器等のハードウェアを含むものとする。
【００９６】
なお、本発明の実施の形態について説明したが、本発明の空気調和制御システムは、上述の図示例にのみに限定されるものではなく、本発明の要旨を逸脱しない範囲内において種々変更を加え得ることは勿論である。
【００９７】
例えば、図１に示す外気ダンパー１２ａ、レターンダンパー１２ｂは、流量を制御することができればよく、例えば流量の制御が可能なファンで構成されていてもよい。
また、混気室１４において、外気とデータセンター１６からの暖気を混気するものとしているが、混気の手段は、一般的な他の手段を用いて構成してもよい。
【００９８】
また、以上に説明した温湿度条件を定める判定閾値等の条件を適宜組み合わせることにより、下記のように空気調和制御システム１（又は１Ａ、１Ｂ）を機能させることができる。以下、順に説明する。
（１）本発明の実施形態に係る空気調和制御システム１（又は１Ａ、１Ｂ）は、外気に対してミスト(霧化水)を供給する噴霧器１１ｒと、制御に基づいて、ミストを供給した後の空気を装置１８が置かれるデータセンター１６に流入させる流入量を調整する流量調整部１２と、外気の温度と湿度と、データセンター１６に応じて定めた判定閾値とに基づいてデータセンター１６への空気の流入を制御する制御部１００とを備える。
このように、上記実施形態の空気調和制御システム１では、噴霧器１１ｒが噴霧したミストを供給した後の空気を装置１８が置かれるデータセンター１６に流入させる。制御部１００は、外気の温度と湿度と、データセンター１６に応じて定めた判定閾値とに基づいてデータセンター１６への空気の流入を制御する。ミストを外気に噴霧することによって、外気に含まれるＳＯｘやＮＯｘなどの腐食性ガスが噴霧した水分（ミスト）によって流すことにより、ミスト噴霧後の空気の腐食性ガスの濃度を低減させる。
これにより、空気調和制御システム１では、冷却対象の装置１８が置かれたデータセンター１６を冷却する際の省エネルギー性を高めることができる。
また、空気調和制御システム１では、外気冷却方式によりデータセンター１６に外気を流入させる前に、ＳＯｘやＮＯｘなどの腐食性ガスの濃度を低減させることにより、腐食性ガスによる信頼度の低下を抑制することができる。
【００９９】
（２）また、上記実施形態の空気調和制御システム１では、制御部１００は、外気の温度と湿度とデータセンター１６に応じて定めた判定閾値とに基づいて、噴霧器１１ｒと１１ｍからのミストの供給を制御する。
このように、上記実施形態の空気調和制御システム１では、制御部１００は、外気の温度と湿度とデータセンター１６に応じて定めた判定閾値とに基づいた判定結果に応じて、噴霧器１１ｒと１１ｍからミストを供給させる。
これにより、空気調和制御システム１は、ミストを噴霧する条件を満たす場合にミストを噴霧することができることから、効率よくミストを噴霧することができるとともに、省エネルギー効果を効率よく高めることができる。
【０１００】
（３）また、上記実施形態の空気調和制御システム１では、制御部１００は、データセンター１６の内部環境の条件に応じた上限温度（乾球温度ＤＢ２）が判定閾値の１つとして定められており、乾球温度ＤＢ２より当該外気の温度が高いか否かを判定し、当該判定の結果が乾球温度ＤＢ２より当該外気の温度が高い場合、データセンター１６に流入させる外気に対してミストを噴霧器１１ｒから供給させて、データセンター１６への空気の流入を制御する。
このように、上記実施形態の空気調和制御システム１では、データセンター１６の内部環境の条件に応じた上限温度（乾球温度ＤＢ２）に基づいてミストの噴霧を制御する。
これにより、空気調和制御システム１は、データセンター１６の内部環境の条件に応じた上限温度（乾球温度ＤＢ２）を、外気の温度が超えている場合であっても、外気冷却を行うことができる。
なお、図４の空気線図に示す領域によれば、外気の温湿度を示す点が領域Ｚ１４、Ｚ１５、Ｚ４、Ｚ５、Ｚ３４からＺ３７にある場合、ミストを噴霧した空気を供給できる。
【０１０１】
（４）また、上記実施形態の空気調和制御システム１では、制御部１００は、上限温度より高い温度であって、上限温度とミストの供給によって外気を冷却可能な温度とに基づいて定められた第2上限温度（乾球温度ＤＢ３）が判定閾値の１つとして定められており、当該外気の温度が上限温度より高くかつ外気の温度が乾球温度ＤＢ３より低いか否かを判定し、外気の温度が上限温度より高くかつ外気の温度が乾球温度ＤＢ３より低い場合、データセンター１６に流入させる外気に対してミストを噴霧器１１ｒから供給させて、ミストを供給する前の外気の温度から温度を調整して当該データセンター１６に流入させるように制御する。
このように、上記実施形態の空気調和制御システム１では、データセンター１６の内部環境の条件に応じた上限温度（乾球温度ＤＢ２）より高い温度であって、乾球温度ＤＢ２とミストの供給によって外気を冷却可能な温度とに基づいて定められた第2上限温度（乾球温度ＤＢ３）に基づいてミストの噴霧を制御する。
これにより、空気調和制御システム１は、データセンター１６の内部環境の条件に応じた上限温度（乾球温度ＤＢ２）から第2上限温度（乾球温度ＤＢ３）までに、外気の温度が達している場合であっても、ミストを噴霧した外気を用いて外気冷却を行うことができる。
なお、図４の空気線図に示す領域によれば、外気の温湿度を示す点が領域Ｚ１４、Ｚ４、Ｚ３４、Ｚ３６にある場合、ミストを噴霧した外気を流入できる。
【０１０２】
（５）また、上記実施形態の空気調和制御システム１では、制御部１００は、上限温度より当該外気の温度が低い場合、データセンター１６に流入させる外気に対してミストを噴霧器１１ｒから供給させずにデータセンター１６への外気の流入を制御する。
このように、上記実施形態の空気調和制御システム１では、データセンター１６の内部環境の条件に応じた上限温度（乾球温度ＤＢ２）に基づいてミストの噴霧を制御する。
これにより、空気調和制御システム１は、データセンター１６の内部環境の条件に応じた上限温度（乾球温度ＤＢ２）を、外気の温度が超えている場合であっても、外気冷却を行うことができる。
なお、図４の空気線図に示す領域によれば、外気の温湿度を示す点が領域Ｚ１２、Ｚ１３、Ｚ２、Ｚ３、Ｚ２２、Ｚ２３、Ｚ３１、Ｚ３３にある場合、ミスト供給しないで、外気を流入できる。
【０１０３】
（６）また、上記実施形態の空気調和制御システム１では、制御部１００は、データセンター１６の内部環境の条件に応じた下限温度（乾球温度ＤＢ１）が判定閾値の１つとして定められており、下限温度より当該外気の温度が低いか否かを判定し、下限温度より当該外気の温度が低い場合、データセンター１６に流入させる外気に対してミストを噴霧器１１ｒから供給させずに流入させる外気の量を調整して当該データセンター１６に流入させるように制御する。
このように、上記実施形態の空気調和制御システム１では、データセンター１６の内部環境の条件に応じた下限温度（乾球温度ＤＢ１）に基づいて外気の量を調整して当該データセンター１６に流入させる。この場合、噴霧器１１ｒからのミストの噴霧を停止する。
これにより、空気調和制御システム１は、データセンター１６の内部環境の条件に応じた下限温度（乾球温度ＤＢ１）に基づいて判定した結果により、流入させる外気の量を調整できるので、データセンター１６に流入させる空気の温度の調整が容易になる。
なお、図４の空気線図に示す領域によれば、外気の温湿度を示す点が領域Ｚ１２、２、２２にある場合、噴霧器１１ｒからミストを供給しないで、外気を流入できる。
【０１０４】
（７）また、上記実施形態の空気調和制御システム１では、データセンター１６には、装置１８の排気側の領域にあたるホットアイル１６Ｃと、ホットアイル１６Ｃの領域と異なる領域であって、装置１８の吸気側の領域にあたるコールドアイル１６Ｂとがあり、ホットアイル１６Ｃとコールドアイル１６Ｂとの間には、ホットアイル１６Ｃとコールドアイル１６Ｂとの間の空気の流れを遮断する遮蔽部材１６Ｓが設けられており、流量調整部１２は、制御に基づいて、ミストを供給した後の空気をコールドアイルに流入させる流入量を調整する。
このように、上記実施形態の空気調和制御システム１では、データセンター１６にホットアイル１６Ｃとコールドアイル１６Ｂを設け、コールドアイル１６Ｂにミストを供給した外気を流入させる流入量を調整する。
これにより、コールドアイル１６Ｂに供給した空気（冷気）を装置１８に効率よく供給することができることから、省エネルギー効果を高めることができる。
【０１０５】
（８）また、上記実施形態の空気調和制御システム１では、制御部１００は、データセンター１６の内部環境の条件に応じた湿度の下限値が判定閾値の１つとして定められており、湿度の下限値より当該外気の湿度が低いか否かを判定し、湿度の下限値より当該外気の湿度が低い場合、データセンター１６への外気の流入を遮断するように制御する。
このように、上記実施形態の空気調和制御システム１では、データセンター１６の内部環境の条件に応じた湿度の下限値（相対湿度Ｈ１又は絶対湿度の下限値）に基づいて、湿度の下限値より当該外気の湿度が低い場合、データセンター１６への外気の流入を遮断する。
これにより、空気調和制御システム１は、データセンター１６の空気の湿度の低下を抑制して、良好な湿度を保つことができる。
なお、図４の空気線図に示す領域によれば、外気の温湿度を示す点が少なくとも領域Ｚ１２、１３、１４、１５にある場合、データセンター１６に外気を流入させないようにできる。
【０１０６】
（９）また、上記実施形態の空気調和制御システム１では、制御部１００は、上限温度より当該外気の温度が高いか否かの判定結果が上限温度より当該外気の温度が高く、かつ、データセンター１６の内部環境の条件に応じた湿度の下限値より当該外気の湿度が低いか否かの判定結果が、湿度の下限値より当該外気の湿度が低い場合、データセンター１６に流入させる外気に対してミストを噴霧器１１ｒから供給せずに、データセンター１６への外気の流入を遮断するように制御する。
このように、上記実施形態の空気調和制御システム１では、データセンター１６の内部環境の条件に応じた上限温度（乾球湿度ＤＢ２）より当該外気の温度が高く、かつ、データセンター１６の内部環境の条件に応じた湿度の下限値（相対湿度Ｈ１又は絶対湿度の下限値）より当該外気の湿度が低い場合、データセンター１６への外気の流入を遮断する。この場合、噴霧器１１ｒから、データセンター１６に流入させる外気はなく、その外気に対するミストの供給も行わない。
これにより、空気調和制御システム１は、データセンター１６の空気の湿度の低下を抑制して、良好な湿度を保つことができる。
また、データセンター１６に流入させるために噴霧することがなく、無駄に噴霧させることを防ぐことができる。
【０１０７】
（１０）また、上記実施形態の空気調和制御システム１では、制御部１００は、データセンター１６の内部環境の条件に応じた露点温度が判定閾値の１つとして定められ、定められた露点温度より当該外気の露点温度が高いか否かを判定し、定められた露点温度より当該外気の露点温度が高い場合、データセンター１６への外気の流入を遮断するように制御する。
このように、上記実施形態の空気調和制御システム１では、データセンター１６の内部環境の条件に応じた露点温度（露点温度ＤＰ２）に基づいて、露点温度ＤＰ２より当該外気の露点温度が高い場合、データセンター１６への外気の流入を遮断する。
これにより、空気調和制御システム１は、データセンター１６の空気の湿度の上昇を抑制して、良好な湿度を保つことができる。
なお、図４の空気線図に示す領域によれば、外気の温湿度を示す点が少なくとも領域Ｚ３３、３１、３４、３５、３６、３７にある場合、データセンター１６に外気を流入させないようにできる。
【０１０８】
（１１）また、上記実施形態の空気調和制御システム１では、データセンター１６の空気を調和する空気調和装置を有し、噴霧器１１ｍからミスト(霧化水)が空気調和装置（ＣＲＡＣ）１５のＣＲＡＣ屋外機１５Ｏに対して供給可能なように、ＣＲＡＣ屋外機１５Ｏと噴霧器１１ｍとが設置されており、制御部１００は、噴霧器１１ｍｎを制御することにより、ＣＲＡＣ屋外機１５Ｏに対して噴霧器１１ｍからのミスト(霧化水)を供給可能である。
このように、上記実施形態の空気調和制御システム１では、噴霧器１１ｍからミスト(霧化水)が空気調和装置１５のＣＲＡＣ屋外機１５Ｏに対して供給可能である。
これにより、空気調和制御システム１は、空気調和装置１５のＣＲＡＣ屋外機１５Ｏを、ミストを噴霧した外気で冷却することができる。
【０１０９】
（１２）また、上記実施形態の空気調和制御システム１では、制御部１００は、データセンター１６の内部環境の条件に応じた上限温度（乾球温度ＤＢ１）より高い温度であって、ミストの供給によって外気を冷却した際に所定の冷却効果が得られる温度範囲を示す第2上限温度（乾球温度ＤＢ２）が判定閾値として定められ、当該外気の温度が第2上限温度より高いか否かを判定して、外気の温度が乾球温度ＤＢ２より高い場合、ミストを供給した外気のデータセンター１６への流入を遮断するか否かを前記ホットアイルの温度に応じて制御する。
このように、上記実施形態の空気調和制御システム１では、外気の温度が乾球温度ＤＢ２より高い場合、ミストを供給した外気のデータセンター１６への流入を遮断するか否かをホットアイル１６Ｃの温度に応じて制御する。
これにより、空気調和制御システム１は、データセンター１６のホットアイル１６Ｃから排出される暖気と外気の何れに基づいて冷却するかを選択して、効率よく冷却することにより省エネルギー性を高めることができる。
【０１１０】
（１３）また、上記実施形態の空気調和制御システム１では、データセンター１６に空気を流入させる方向の上流側に配置され、データセンター１６から排出される暖気と、ミストが供給された後の空気とを混合可能とする混気室１４（混合部）を備え、制御部１００は、外気の温度と湿度と、データセンター１６に応じて定めた判定閾値とに基づいて、データセンター１６から排出される暖気と、ミストを供給した後の空気とを流量調整部１２によって混合させて、混気室１４が混合した後の空気を冷却用空気としてデータセンター１６に供給させる。
このように、上記実施形態の空気調和制御システム１は、混気室１４（混合部）を備えることにより、データセンター１６から排出される暖気と、ミストを供給した後の空気とを、外気の温度と湿度と、データセンター１６に応じて定めた判定閾値とに基づいて混気することができる。
これにより、外気乾球温度ＤＢ０が比較的低い場合に、データセンター１６から排出される暖気と外気とを混気させて、ＣＲＡＣ１５をサーモ運転させなくても、混気後の空気の温湿度を適した温湿度に調整することができる。このことから、空気調和制御システム１は、データセンター１６に供給する空気を効率よく冷却することにより省エネルギー性を高めることができる。
【０１１１】
（１４）また、上記実施形態の空気調和制御システム１は、ミストを供給した後の空気をデータセンター１６に流入させる前に、ミストを供給した後の空気を濾過するフィルター部を備える。
このように、上記実施形態の空気調和制御システム１では、ミストを供給した後の空気をデータセンター１６に流入させる前に、ミストを供給した後の空気を濾過する。
これにより、空気調和制御システム１は、データセンター１６に流入させる外気の濾過性能を高めることができる。
【０１１２】
（１５）また、上記実施形態における空気調和制御システム１は、外気に対してミスト(霧化水)を供給する噴霧器１１ｒと、ミストを供給した後の空気を装置１８が置かれるデータセンター１６に流入させる流入量を調整する流量調整部１２と、空気の流入を制御する制御部１００とを備える。
このように、上記実施形態の空気調和制御システム１では、噴霧器１１ｒが噴霧したミストを供給した後の空気を装置１８が置かれるデータセンター１６に流入させる。制御部１００は、データセンター１６への空気の流入を制御する。
これにより、空気調和制御システム１では、冷却対象の装置１８が置かれたデータセンター１６を外気冷却化することが容易になり、ミストを噴霧した後の空気による外気冷却化により省エネルギー性を高めることができる。
【符号の説明】
【０１１３】
１、１Ａ、１Ｂ  空気調和制御システム（空気調和制御装置）、
１１ａ、１１ｂ  蒸発冷却部、
１１ｒ、１１ｍ  噴霧器、１２  流量調整部、
１２ａ  外気ダンパー（流量調整部）、
１２ｂ  レターンダンパー（流量調整部）、
１２ｃ  排気ファン（流量調整部）、
１４  混気室（混気部）、
１５  空気調和装置（ＣＲＡＣ、空気調和装置）、
１５Ｉ  ＣＲＡＣ室内機、
１５Ｏ  ＣＲＡＣ屋外機、
１６  データセンター（部屋）、
１８  装置、
２１、２２、２３、２４、２５  検出部、
１００  制御部（空気調和制御装置）
【図１】
2015055467.tif 000003
【図２】
2015055467.tif 000004
【図３】
2015055467.tif 000005
【図４】
2015055467.tif 000006
【図５】
2015055467.tif 000007
【図６】
2015055467.tif 000008
【図７】
2015055467.tif 000009
【図８】
2015055467.tif 000010
【図９】
2015055467.tif 000011
【図１０】
2015055467.tif 000012
【図１１】
2015055467.tif 000013
【図１２】
2015055467.tif 000014
【図１３】
2015055467.tif 000015
【図１４】
2015055467.tif 000016
【図１５】
2015055467.tif 000017
【図１６】
2015055467.tif 000018
【図１７】
2015055467.tif 000019
【図１８】
2015055467.tif 000020
【図１９】
2015055467.tif 000021
【図２０】
2015055467.tif 000022
【図２１】
2015055467.tif 000023
【図２２】
2015055467.tif 000024
【図２３】
2015055467.tif 000025
【図２４】
2015055467.tif 000026
【手続補正書】
【提出日】平成25年12月13日(2013.12.13)
【手続補正１】
【補正対象書類名】明細書
【補正対象項目名】００２３
【補正方法】変更
【補正の内容】
【００２３】
（１７）また、本発明の第４の態様の空気調和制御方法は、外気に対して噴霧器がミスト(霧化水)を供給した後の空気を冷却対象設備が置かれる部屋に流入させる流入量を流量調整部が調整する過程と前記外気の温度と湿度と、前記部屋に応じて定めた判定閾値とに基づいて前記部屋への前記空気の流入を制御する過程とを含むことを特徴とする。
【手続補正２】
【補正対象書類名】明細書
【補正対象項目名】００２４
【補正方法】変更
【補正の内容】
【００２４】
（１８）また、本発明の第５の態様のプログラムは、空気調和制御システムが備えるコンピュータに、外気に対して噴霧器がミスト(霧化水)を供給した後の空気を冷却対象設備が置かれる部屋に流入させる流入量を流量調整部が調整するステップと、前記外気の温度と湿度と、前記部屋に応じて定めた判定閾値とに基づいて前記部屋への前記空気の流入を制御するステップと、を実行させるためのものである。
【手続補正３】
【補正対象書類名】明細書
【補正対象項目名】００２６
【補正方法】変更
【補正の内容】
【００２６】
【図１】本発明の第１実施形態に係る空気調和制御システムの概略構成図である。
【図２】本実施形態に係る空気調和制御システムのエアーフロー図である。
【図３】本実施形態の空気調和制御システムの概要を示す構成図である。
【図４】空気調和制御システムを機能させるための判定閾値の一例を示す説明図である。
【図５】図４で示した判定閾値を表に纏めた説明図である。
【図６】本実施形態における制御の概略手順を示すフローチャートである。
【図７】モード１の処理の手順を示すフローチャートである。
【図８】モード２の処理の手順を示すフローチャートである。
【図９】モード３の処理の手順を示すフローチャートである。
【図１０】モード４の処理の手順を示すフローチャートである。
【図１１】モード５Ａの処理の手順を示すフローチャートである。
【図１２】モード５Ｂの処理の手順を示すフローチャートである。
【図１３】モード１の空気の流れを示すエアーフロー図である。
【図１４】モード２の空気の流れを示すエアーフロー図である。
【図１５】モード３の空気の流れを示すエアーフロー図である。
【図１６】モード４の空気の流れを示すエアーフロー図である。
【図１７】モード５Ｂの空気の流れを示すエアーフロー図である。
【図１８】モード５Ａの空気の流れを示すエアーフロー図である。
【図１９】第２実施形態に係る空気調和制御システムの概略構成図である。
【図２０】本実施形態に係る空気調和制御システムのエアーフロー図である。
【図２１】第３実施形態に係る空気調和制御システムの概略構成図である。
【図２２】本実施形態に係る空気調和制御システムのエアーフロー図である。
【図２３】本実施形態の空気調和制御システムの概要を示す構成図である。
【図２４】変形例の空気調和制御システムを機能させるための判定閾値の一例を示す説明図である。
【手続補正４】
【補正対象書類名】明細書
【補正対象項目名】００２９
【補正方法】変更
【補正の内容】
【００２９】
（空気調和制御システム１の概略構成）
最初に図１と図２を参照し、本発明の第１の実施形態に係る空気調和制御システムの概略構成と空気の流れについて説明する。図１は、本発明の一実施形態に係る空気調和制御システムの概略構成図である。この図に示される空気調和制御システム１は、例えば、データセンターや通信局舎等の施設に適用される空気調和制御システムの例である。なお、図１では、空気調和制御システムが適用される施設の縦断断面図を模式化して示す。ここで、Ｚ軸方向を鉛直方向とし、Ｘ軸方向を屋外から取り込んだ空気を流す方向とする。また、図２は、本実施形態に係る空気調和制御システムのエアーフロー図である。
空気調和制御システム１は、噴霧器１１rからミストを噴霧する蒸発冷却部１１ａにおいて、噴霧器１１rから外気に対してミスト(霧化水)を供給し、制御に基づいて、ミストを供給した後の空気を冷却対象設備が置かれる部屋に流入させる流入量を調整する。空気調和制御システム１は、外気の温度と湿度と、データセンター１６（部屋）に応じて定めた判定閾値とに基づいてデータセンター１６への空気の流入を制御する。これにより、空気調和制御システム１は、屋外（外部）の空気を取り込んで、装置１８が設けられるデータセンター１６に取り込んだ空気を供給して、データセンター１６内の温湿度環境を調整する。以下、データセンター１６における換気方式をいわゆる、第１種換気方式にした場合を例示する。
例えば、データセンター１６が設けられている施設は、蒸発冷却室１１、フィルター室１３、混気室１４、データセンター１６、および排気設備室１７に分かれて構成されている。
【手続補正５】
【補正対象書類名】明細書
【補正対象項目名】００３４
【補正方法】変更
【補正の内容】
【００３４】
また、データセンター１６には、底壁との間に間隔を空けて床板が配置されている。つまり、データセンター１６は、いわゆる２重床１６Ｆを備えている。２重床１６Ｆと底壁との間に床下領域１６Ａが設けられる。２重床１６Ｆの上には、冷却対象の複数の装置１８が設けられる。
２重床１６Ｆの上の領域には、装置１８の排気側の領域にあたるホットアイル１６Ｃと、ホットアイル１６Ｃの領域と異なる領域であって、装置１８の吸気側の領域にあたるコールドアイル１６Ｂとを含めて設けられている。
また、コールドアイル１６Ｂとホットアイル１６Ｃとの間には、コールドアイル１６Ｂとホットアイル１６Ｃの間の空気の流れを遮断する遮蔽部材１６Ｓが設けられている（例えば、特許３８３５６１５号公報参照）。
【手続補正６】
【補正対象書類名】明細書
【補正対象項目名】００４６
【補正方法】変更
【補正の内容】
【００４６】
なお、検出部１５Ｓは、ＣＲＡＣ１５の吹き出し温度（Ｔ２）を検出する。例えば、検出部１５Ｓは、ＣＲＡＣ室内機１５Ｉの本体の吹き出し口近傍に設けられており、その具体的な位置はＣＲＡＣ室内機１５Ｉの本体内部にあってもよい。本実施形態においては、検出部１５Ｓは、ＣＲＡＣ室内機１５Ｉが備えるものとする。
【手続補正７】
【補正対象書類名】明細書
【補正対象項目名】００５１
【補正方法】変更
【補正の内容】
【００５１】
例えば、空気線図の領域を、乾球温度を基準にして、乾球温度の３つの閾値に基づいて４つの範囲に分割する。第１の範囲は、乾球温度が乾球温度ＤＢ１以下の領域に対応する。その第１の範囲には、領域Ｚ２、Ｚ１２、Ｚ２２が含まれる。第２の範囲は、乾球温度が乾球温度ＤＢ１以上乾球温度ＤＢ２未満の領域に対応する。第２の範囲には、領域Ｚ３、Ｚ１３、Ｚ２３、Ｚ３１、Ｚ３３が含まれる。第３の範囲は、乾球温度が乾球温度ＤＢ２以上乾球温度ＤＢ３未満の領域に対応する。第３の範囲には、領域Ｚ４、Ｚ１４、Ｚ３４、Ｚ３６が含まれる。
第４の範囲は、乾球温度ＤＢ３以上の領域に対応する。第４の範囲には、領域Ｚ５、Ｚ１５、Ｚ３５、Ｚ３７が含まれる。
【手続補正８】
【補正対象書類名】明細書
【補正対象項目名】００５２
【補正方法】変更
【補正の内容】
【００５２】
また、例えば、空気線図の領域を、相対湿度を基準にして、相対湿度の２つの閾値に基づいて３つの範囲に分割する。第１の範囲は、相対湿度が相対湿度Ｈ１以下の領域に対応する。その第１の範囲には、領域Ｚ１２から領域Ｚ１５が含まれる。第２の範囲は、相対湿度が相対湿度Ｈ１以上相対湿度Ｈ２未満の領域に対応する。第２の範囲には、領域Ｚ２から領域Ｚ５と、領域Ｚ３１、Ｚ３４、Ｚ３５が含まれる。第３の範囲は、相対湿度が相対湿度Ｈ２以上の領域に対応する。第３の範囲には、領域Ｚ２２、Ｚ２３と領域Ｚ３３、Ｚ３６、Ｚ３７が含まれる。
【手続補正９】
【補正対象書類名】明細書
【補正対象項目名】００５７
【補正方法】変更
【補正の内容】
【００５７】
（制御処理の動作モードと判定閾値について）
本実施形態では、噴霧器１１ｒと１１ｍの動作状態と、データセンター１６の空気を調整する制御状態とを定める動作モードを定義して、６つの動作モードに分けた場合について以下説明する。
第１の動作モード（モード１）では、噴霧器１１ｒからミストを噴霧させずに、所定の条件に応じて噴霧器１１ｍからミストを噴霧させるとともに、データセンター１６内の空気を循環させて、ＣＲＡＣ１６にサーモ運転させる。
第２の動作モード（モード２）では、噴霧器１１ｒと噴霧器１１ｍとからミストを噴霧させずに、データセンター１６からの暖気と外気とを混気して、データセンター１６内の空気を循環させる。ただし、ＣＲＡＣ１６のサーモ運転を停止させる。
第３の動作モード（モード３）では、噴霧器１１ｒと噴霧器１１ｍとからミストを噴霧させずに、データセンター１６を直接外気冷却させる。ただし、ＣＲＡＣ１６のサーモ運転を停止させる。
第４の動作モード（モード４）では、噴霧器１１ｍからミストを噴霧させずに、噴霧器１１ｒからミストを噴霧させて、ミストを噴霧して冷却した空気によってデータセンター１６を直接外気冷却させる。ただし、ＣＲＡＣ１６のサーモ運転を停止させる。
第５の動作モード（モード５Ｂ）では、噴霧器１１ｒからミストを噴霧させずに、噴霧器１１ｍからミストを噴霧して、データセンター１６内の空気を循環させるとともに、ＣＲＡＣ１６にサーモ運転させる。
第６の動作モード（モード５Ａ）では、噴霧器１１ｍからミストを噴霧させずに、噴霧器１１ｒからミストを噴霧させて、ミストを噴霧して冷却した空気によってデータセンター１６を直接外気冷却するとともに、ＣＲＡＣ１６にサーモ運転させる。
【手続補正１０】
【補正対象書類名】明細書
【補正対象項目名】００７３
【補正方法】変更
【補正の内容】
【００７３】
(モード３の処理の詳細について)
図９と図１５を参照して、モード３における処理と空気の流れについて説明する。
モード３における処理では、まず、混気室１４を介してデータセンター１６内部の空気を循環させずに、データセンター１６に外気を取り込むように設定する。例えば、判定処理部１５０の判定結果に基づいて、流量制御部１２０は、外気ダンパー１２ａの開度を全開にして、レターンダンパー１２ｂの開度を全閉にして、排気ファン１２ｃを作動させて、混気室１４を介するデータセンター１６内部の空気の循環を遮断するとともに、データセンター１６に外気を取り込むように設定する（ステップＳ３２）。
また、判定処理部１５０の判定結果に基づいて、流量制御部１２０は、ＣＲＡＣ１５による温度調整を停止させる（ステップＳ３４）。
また、判定処理部１５０の判定結果に基づいて、蒸発冷却制御部１３０は、噴霧器１１ｒと噴霧器１１ｍとからのミストの噴霧を停止させて、データセンター１６にミストを噴霧していない外気を供給できるようにする（ステップＳ３６）。
次に、判定処理部１５０の判定結果に基づいて、判定処理部１５０は、ＣＲＡＣ１５の温度調整とミストによる冷却を機能させずに外気冷却運転を行う（ステップＳ３８）。
【手続補正１１】
【補正対象書類名】明細書
【補正対象項目名】００７５
【補正方法】変更
【補正の内容】
【００７５】
(モード５Ａの処理の詳細について)
図１１と図１８を参照して、モード５Ａにおける処理と空気の流れについて説明する。
モード５Ａにおける処理では、まず、混気室１４を介してデータセンター１６内部の空気を循環させずに、データセンター１６への外気の取り込むように設定する。例えば、判定処理部１５０の判定結果に基づいて、流量制御部１２０は、外気ダンパー１２ａの開度を全開にして、レターンダンパー１２ｂの開度を全閉にして、排気ファン１２ｃを作動させて、混気室１４を介するデータセンター１６内部の空気の循環を遮断するとともに、データセンター１６に外気を取り込むように設定する（ステップＳ５２）。
また、判定処理部１５０の判定結果に基づいて、流量制御部１２０は、ＣＲＡＣ１５による温度調整を実施させる（ステップＳ５４）。
また、判定処理部１５０の判定結果に基づいて、蒸発冷却制御部１３０は、噴霧器１１ｍからミストを噴霧させずに、噴霧器１１rからミストを噴霧させて、データセンター１６にミストを噴霧した後の外気を供給できるようにする（ステップＳ５６）。
次に、判定処理部１５０の判定結果に基づいて、判定処理部１５０は、ＣＲＡＣ１５の温度調整とミストによる冷却を機能させて外気冷却運転を行う（ステップＳ５８）。
【手続補正１２】
【補正対象書類名】明細書
【補正対象項目名】００７６
【補正方法】変更
【補正の内容】
【００７６】
(モード５Ｂの処理の詳細について)
図１２と図１７を参照して、モード５Ｂにおける処理と空気の流れについて説明する。
モード５Ｂにおける処理では、まず、データセンター１６への外気の取り込みを遮断し、混気室１４を介してデータセンター１６内部の空気を循環させるように設定する。例えば、判定処理部１５０の判定結果に基づいて、流量制御部１２０は、外気ダンパー１２ａの開度を全閉にして、レターンダンパー１２ｂの開度を全開にして、排気ファン１２ｃを停止して、データセンター１６への外気の取り込みを遮断して、データセンター１６内部の空気を循環させるように設定する（ステップＳ６２）。
また、判定処理部１５０の判定結果に基づいて、流量制御部１２０は、ＣＲＡＣ１５による温度調整を実施させる（ステップＳ６４）。
また、判定処理部１５０の判定結果に基づいて、蒸発冷却制御部１３０は、噴霧器１１ｒからミストを噴霧させずに、噴霧器１１ｍからミストを噴霧させる。噴霧器１１ｍからミストを噴霧させたことにより、ＣＲＡＣ屋外機１５Ｏにミストを含んだ空気を供給できるようにする（ステップＳ６６）。
次に、判定処理部１５０の判定結果に基づいて、判定処理部１５０は、ＣＲＡＣ１５の温度調整とミストによる冷却を機能させて、内部空気の循環させる循環冷却運転を行う（ステップＳ６８）。
【手続補正１３】
【補正対象書類名】明細書
【補正対象項目名】００８４
【補正方法】変更
【補正の内容】
【００８４】
（空気調和制御システム１Ｂの概略構成）
図２１から図２３を参照し、本発明の第３の実施形態に係る空気調和制御システムの概略構成について説明する。図２１は、本発明の実施形態に係る空気調和制御システムの概略構成図である。この図に示される空気調和制御システム１Ｂは、例えば、データセンターや通信局舎等の施設に適用される空気調和制御システムの例である。
また、図２２は、本実施形態に係る空気調和制御システムのエアーフロー図である。図２３は、本実施形態の空気調和制御システムの概要を示す構成図である。
【手続補正１４】
【補正対象書類名】明細書
【補正対象項目名】０１０１
【補正方法】変更
【補正の内容】
【０１０１】
（４）また、上記実施形態の空気調和制御システム１では、制御部１００は、上限温度より高い温度であって、上限温度とミストの供給によって外気を冷却可能な温度とに基づいて定められた第２上限温度（乾球温度ＤＢ３）が判定閾値の１つとして定められており、当該外気の温度が上限温度より高くかつ外気の温度が乾球温度ＤＢ３より低いか否かを判定し、外気の温度が上限温度より高くかつ外気の温度が乾球温度ＤＢ３より低い場合、データセンター１６に流入させる外気に対してミストを噴霧器１１ｒから供給させて、ミストを供給する前の外気の温度から温度を調整して当該データセンター１６に流入させるように制御する。
このように、上記実施形態の空気調和制御システム１では、データセンター１６の内部環境の条件に応じた上限温度（乾球温度ＤＢ２）より高い温度であって、乾球温度ＤＢ２とミストの供給によって外気を冷却可能な温度とに基づいて定められた第２上限温度（乾球温度ＤＢ３）に基づいてミストの噴霧を制御する。
これにより、空気調和制御システム１は、データセンター１６の内部環境の条件に応じた上限温度（乾球温度ＤＢ２）から第２上限温度（乾球温度ＤＢ３）までに、外気の温度が達している場合であっても、ミストを噴霧した外気を用いて外気冷却を行うことができる。
なお、図４の空気線図に示す領域によれば、外気の温湿度を示す点が領域Ｚ１４、Ｚ４、Ｚ３４、Ｚ３６にある場合、ミストを噴霧した外気を流入できる。